(57)【要約】  送受信ポイント（ＴＲＰ）を動作させる方法が、ＴＲＰのためのバックホール通信モードの第１のサイクルを決定するステップであり、第１のサイクルの各バックホール通信モードは、異なる期間に関連づけられ、関連づけられた期間中にＴＲＰに利用可能な通信ビームのサブセットを使用して送信又は受信のいずれかを行うようにＴＲＰを促し、各々の関連づけられた期間にＴＲＰと該ＴＲＰの隣接ＴＲＰとにより使用される通信ビームは、相互干渉を防止するように選択され、第１のサイクルの少なくとも１つのバックホール通信モードが、ＴＲＰに利用可能な通信ビームのすべてを使用して送信又は受信のいずれかを行うようにＴＲＰを促す、ステップと、第１のサイクルに従ってＴＲＰのためのバックホールフレーム構成を決定するステップであり、バックホールフレーム構成は、バックホール通信に使用されるフレームのサブフレームの配置を規定する、ステップとを含む。
2019523580.tif 000002
【特許請求の範囲】
【請求項１】
送受信ポイント（ＴＲＰ）を動作させる方法であって、
前記ＴＲＰにより、前記ＴＲＰのためのバックホール通信モードの第１のサイクルを決定するステップであり、前記第１のサイクルの各バックホール通信モードは、異なる期間に関連づけられ、関連づけられた期間中に前記ＴＲＰに利用可能な通信ビームのサブセットを使用して送信又は受信のいずれかを行うように前記ＴＲＰを促し、各々の関連づけられた期間に前記ＴＲＰと前記ＴＲＰの隣接ＴＲＰとにより使用される前記通信ビームは、相互干渉を防止するように選択され、前記第１のサイクルの少なくとも１つのバックホール通信モードは、前記ＴＲＰに利用可能な前記通信ビームのすべてを使用して送信又は受信のいずれかを行うように前記ＴＲＰを促す、ステップと、
前記ＴＲＰにより、前記第１のサイクルに従って前記ＴＲＰのためのバックホールフレーム構成を決定するステップであり、前記バックホールフレーム構成は、バックホール通信に使用されるフレームのサブフレームの配置を規定する、ステップと、
前記ＴＲＰにより、前記第１のサイクル及び前記バックホールフレーム構成に従って前記ＴＲＰの隣接ＴＲＰと通信するステップと、
を含む方法。
【請求項２】
前記第１のサイクルを決定するステップは、メモリから前記第１のサイクルを取り出すステップ、データベースから前記第１のサイクルを取り出すステップ、ネットワークエンティティからメッセージにおいて前記第１のサイクルを受信するステップ、又は隣接ＴＲＰから前記第１のサイクルを受信するステップ、のうち１つを含む、請求項１に記載の方法。
【請求項３】
前記バックホールフレーム構成を決定するステップは、メモリから前記バックホールフレーム構成を取り出すステップ、データベースから前記バックホールフレーム構成を取り出すステップ、ネットワークエンティティからメッセージにおいて前記バックホールフレーム構成を受信するステップ、又は隣接ＴＲＰから前記バックホールフレーム構成を受信するステップ、のうち１つを含む、請求項１に記載の方法。
【請求項４】
前記ＴＲＰは、前記ＴＲＰのＴＲＰタイプに従って前記第１のサイクル内の開始ポイントを割り当てられる、請求項１に記載の方法。
【請求項５】
異なるＴＲＰタイプは、前記第１のサイクル内の異なる開始ポイントを割り当てられる、請求項４に記載の方法。
【請求項６】
前記第１のサイクルは、前記ＴＲＰに利用可能なすべての通信ビームを使用して前記隣接ＴＲＰのすべてに送信するように前記ＴＲＰを規定する第１のバックホールモードと、前記ＴＲＰに利用可能なすべての通信ビームの第１のサブセットを使用して前記隣接ＴＲＰの第１のサブセットから受信するように前記ＴＲＰを規定する第２のバックホールモードと、前記ＴＲＰに利用可能なすべての通信ビームの第２のサブセットを使用して前記隣接ＴＲＰの第２のサブセットから受信するように前記ＴＲＰを規定する第３のバックホールモードとを含み、前記隣接ＴＲＰの前記第１のサブセット及び前記第２のサブセットの組み合わせは、前記隣接ＴＲＰのすべてを含む、請求項１に記載の方法。
【請求項７】
隣接ＴＲＰの２つより多くのサブセットがあり、前記隣接ＴＲＰのサブセットは前記隣接ＴＲＰのすべてを含む、請求項６に記載の方法。
【請求項８】
前記第１のサイクルは、前記ＴＲＰに利用可能なすべての通信ビームを使用して前記隣接ＴＲＰのすべてから受信するように前記ＴＲＰを規定する第４のバックホールモードと、前記ＴＲＰに利用可能なすべての通信ビームの第３のサブセットを使用して前記隣接ＴＲＰの第３のサブセットに送信するように前記ＴＲＰを規定する第５のバックホールモードと、前記ＴＲＰに利用可能なすべての通信ビームの第４のサブセットを使用して前記隣接ＴＲＰの第４のサブセットに送信するように前記ＴＲＰを規定する第６のバックホールモードとを含み、前記隣接ＴＲＰの前記第３のサブセット及び前記第４のサブセットの組み合わせは、前記隣接ＴＲＰのすべてを含む、請求項１に記載の方法。
【請求項９】
隣接ＴＲＰの２つより多くのサブセットがあり、前記隣接ＴＲＰのサブセットは、前記隣接ＴＲＰのすべてを含む、請求項８に記載の方法。
【請求項１０】
バックホール通信モードの複数のサイクルがあり、各サイクルの各バックホール通信モードは、関連づけられた期間中に関連づけられたＴＲＰに利用可能な通信ビームのサブセットを使用して送信又は受信のいずれかを行うように前記関連づけられたＴＲＰを規定し、各ＴＲＰタイプはバックホールモードの１つのセットを割り当てられる、請求項１に記載の方法。
【請求項１１】
異なるＴＲＰタイプは、関連づけられたサイクル内の異なる開始ポイントを割り当てられる、請求項１０に記載の方法。
【請求項１２】
前記サイクルは、異なる数のバックホール通信モードを有し、前記ＴＲＰに割り当てられた前記第１のサイクルは、バックホールモードの第２のセットより少ないバックホールモードを有し、当該方法は、少なくとも１つの期間にアイドルのままであるステップをさらに含む、請求項１０に記載の方法。
【請求項１３】
前記隣接ＴＲＰと通信するステップは、第１の周波数帯で生じ、前記ＴＲＰは、そのカバレッジエリア内で第２の周波数帯を使用して動作するユーザ装置（ＵＥ）とさらに通信する、請求項１に記載の方法。
【請求項１４】
前記第１の周波数帯及び前記第２の周波数帯は重なる、請求項１３に記載の方法。
【請求項１５】
バックホール通信に使用されるフレームが、ＵＥと通信するために使用される無線フレームに挿入される、請求項１４に記載の方法。
【請求項１６】
バックホール通信に使用されるフレームが、前記ＵＥを扱うために使用されるフレームの共通部分に挿入される、請求項１４に記載の方法。
【請求項１７】
前記共通部分はスペシャル（Ｓ）サブフレームである、請求項１６に記載の方法。
【請求項１８】
バックホール通信に使用されるフレームが、前記ＵＥを扱うために使用される連続したフレームの間に挿入される、請求項１４に記載の方法。
【請求項１９】
ネットワークエンティティを動作させる方法であって、
前記ネットワークエンティティにより、送受信ポイント（ＴＲＰ）の各々の割り当てられたＴＲＰタイプに従ってバックホール通信モードのサイクルを前記ＴＲＰに割り当てるステップと、
前記ネットワークエンティティにより、前記ＴＲＰの各々の前記割り当てられたＴＲＰタイプに従ってバックホールフレーム構成を前記ＴＲＰに割り当てるステップと、
を含む方法。
【請求項２０】
前記ネットワークエンティティにより、前記ＴＲＰの各々の隣接リストと前記ＴＲＰの各々の能力とに従ってＴＲＰタイプを前記ＴＲＰの各々に割り当てるステップ、をさらに含む請求項１９に記載の方法。
【請求項２１】
前記バックホール通信モードのサイクルと前記バックホールフレーム構成とをメモリ又はデータベースのうち１つに保存するステップ、をさらに含む請求項１９に記載の方法。
【請求項２２】
送受信ポイント（ＴＲＰ）であって、
プロセッサと、
前記プロセッサにより実行されるプログラミングを記憶するコンピュータ読取可能記憶媒体と、を含み、
前記プログラミングは、
当該ＴＲＰのためのバックホール通信モードの第１のサイクルを決定し、前記第１のサイクルの各バックホール通信モードは、異なる期間に関連づけられ、関連づけられた期間中に当該ＴＲＰに利用可能な通信ビームのサブセットを使用して送信又は受信のいずれかを行うように当該ＴＲＰを促し、各々の関連づけられた期間に当該ＴＲＰと当該ＴＲＰの隣接ＴＲＰとにより使用される前記通信ビームは、相互干渉を防止するように選択され、前記第１のサイクルの少なくとも１つのバックホール通信モードは、当該ＴＲＰに利用可能な前記通信ビームのすべてを使用して送信又は受信のいずれかを行うように当該ＴＲＰを促し、
前記第１のサイクルに従って当該ＴＲＰのためのバックホールフレーム構成を決定し、前記バックホールフレーム構成は、バックホール通信に使用されるフレームのサブフレームの配置を規定し、
前記第１のサイクル及び前記バックホールフレーム構成に従って当該ＴＲＰの隣接ＴＲＰと通信する
ように当該ＴＲＰを構成する命令を含む、ＴＲＰ。
【請求項２３】
前記第１のサイクルは、当該ＴＲＰに利用可能なすべての通信ビームを使用して前記隣接ＴＲＰのすべてに送信するように当該ＴＲＰを規定する第１のバックホールモードと、当該ＴＲＰに利用可能なすべての通信ビームの第１のサブセットを使用して前記隣接ＴＲＰの第１のサブセットから受信するように当該ＴＲＰを規定する第２のバックホールモードと、当該ＴＲＰに利用可能なすべての通信ビームの第２のサブセットを使用して前記隣接ＴＲＰの第２のサブセットから受信するように当該ＴＲＰを規定する第３のバックホールモードとを含み、前記隣接ＴＲＰの前記第１のサブセット及び前記第２のサブセットの組み合わせは、前記隣接ＴＲＰのすべてを含む、請求項２２に記載のＴＲＰ。
【請求項２４】
前記第１のサイクルは、当該ＴＲＰに利用可能なすべての通信ビームを使用して前記隣接ＴＲＰのすべてから受信するように当該ＴＲＰを規定する第４のバックホールモードと、当該ＴＲＰに利用可能なすべての通信ビームの第３のサブセットを使用して前記隣接ＴＲＰの第３のサブセットに送信するように当該ＴＲＰを規定する第５のバックホールモードと、当該ＴＲＰに利用可能なすべての通信ビームの第４のサブセットを使用して前記隣接ＴＲＰの第４のサブセットに送信するように当該ＴＲＰを規定する第６のバックホールモードとを含み、前記隣接ＴＲＰの前記第３のサブセット及び前記第４のサブセットの組み合わせは、前記隣接ＴＲＰのすべてを含む、請求項２２に記載のＴＲＰ。
【請求項２５】
サイクルは、異なる数のバックホール通信モードを有し、当該ＴＲＰに割り当てられた前記第１のサイクルは、バックホールモードの第２のセットより少ないバックホールモードを有し、プログラミングは、前記第１のサイクルを完了した後、少なくとも１つの期間にアイドルのままであるように当該ＴＲＰを構成する命令を含む、請求項２２に記載のＴＲＰ。
【請求項２６】
ネットワークエンティティであって、
プロセッサと、
前記プロセッサにより実行されるプログラミングを記憶するコンピュータ読取可能記憶媒体と、を含み、
前記プログラミングは、
送受信ポイント（ＴＲＰ）の各々の割り当てられたＴＲＰタイプに従ってバックホール通信モードのサイクルを前記ＴＲＰに割り当て、
前記ＴＲＰの各々の前記割り当てられたＴＲＰタイプに従ってバックホールフレーム構成を前記ＴＲＰに割り当てる
ように当該ネットワークエンティティを構成する命令を含む、ネットワークエンティティ。
【請求項２７】
前記プログラミングは、前記ＴＲＰの各々の隣接リストと前記ＴＲＰの各々の能力とに従ってＴＲＰタイプを前記ＴＲＰの各々に割り当てるように当該ネットワークエンティティを構成する命令を含む、請求項２６に記載のネットワークエンティティ。
【発明の詳細な説明】
【技術分野】
【０００１】
本出願は、2016年10月10日に出願され「System  and  Method  for  Time  Division  Multiplexing  in  Transmission-Reception  Point  to  Transmission-Reception  Point  Connectivity」と題された米国非仮出願第15/289,638号に対して優先権を主張し、該出願は同様に、2016年5月26日に出願され「System  and  Method  for  Time  Division  Multiplexing  in  Transmission-Reception  Point  to  Transmission-Reception  Point  Connectivity」と題された米国仮特許出願第62/341,877号から優先権を主張しており、これらの特許出願の双方はその全体を再現されるかのようにここで参照により援用される。
【０００２】
［技術分野］
本開示は、一般にデジタル通信のためのシステム及び方法に関し、特定の実施例において、送受信ポイント（transmission-reception  point、ＴＲＰ）対ＴＲＰ接続性における時分割複信（time  division  duplexed、ＴＤＤ）多重のためのシステム及び方法に関する。
【背景技術】
【０００３】
将来の無線通信システムは、より大きい帯域幅及びより少ない干渉を見出すことを追及する中で、より一層高いキャリア周波数で動作する。これらの無線通信システムは、６ＧＨｚ及びそれ以上の周波数で動作する可能性がある。無線通信システムにおいて利用可能なより大きい帯域幅を十分に利用するために、送受信ポイント（ＴＲＰ）は、既存のバックホール及び／又はフロントホール接続で提供されるものよりもより大きい帯域幅及びより少ないレイテンシを要求する可能性がある。さらに、ＴＲＰの密度は現在の展開よりかなり高くなる見込みがあり、有線の高キャパシティのバックホール接続をこれらＴＲＰのすべてに配置するコストはひどく高い可能性がある。さらに、特定の状況において、いくつかのＴＲＰは実際に一時的又は移動可能である可能性があり、有線接続をサポートできない可能性がある。
【発明の概要】
【０００４】
例示的な実施例が、ＴＲＰ対ＴＲＰ接続性におけるＴＤＤ多重のためのシステム及び方法を提供する。
【０００５】
例示的な実施例によれば、送受信ポイント（ＴＲＰ）を動作させる方法が提供される。当該方法は、ＴＲＰにより、ＴＲＰのためのバックホール通信モードの第１のサイクルを決定するステップであり、第１のサイクルの各バックホール通信モードは、異なる期間に関連づけられ、関連づけられた期間中にＴＲＰに利用可能な通信ビームのサブセットを使用して送信又は受信のいずれかを行うようにＴＲＰを促し、各々の関連づけられた期間にＴＲＰとＴＲＰの隣接ＴＲＰとにより使用される通信ビームは、相互干渉を防止するように選択され、第１のサイクルの少なくとも１つのバックホール通信モードは、ＴＲＰに利用可能な通信ビームのすべてを使用して送信又は受信のいずれかを行うようにＴＲＰを促す、ステップと、ＴＲＰにより、第１のサイクルに従ってＴＲＰのためのバックホールフレーム構成を決定するステップであり、バックホールフレーム構成は、バックホール通信に使用されるフレームのサブフレームの配置を規定する、ステップと、ＴＲＰにより、第１のサイクル及びバックホールフレーム構成に従ってＴＲＰの隣接ＴＲＰと通信するステップと、を含む。
【０００６】
任意選択で、前の実施例のいずれかにおいて、実施例の別の実現方式が当該方法を提供し、第１のサイクルを決定するステップは、メモリから第１のサイクルを取り出すステップ、データベースから第１のサイクルを取り出すステップ、ネットワークエンティティからメッセージにおいて第１のサイクルを受信するステップ、又は隣接ＴＲＰから第１のサイクルを受信するステップ、のうち１つを含む。
【０００７】
任意選択で、前の実施例のいずれかにおいて、実施例の別の実現方式が当該方法を提供し、バックホールフレーム構成を決定するステップは、メモリからバックホールフレーム構成を取り出すステップ、データベースからバックホールフレーム構成を取り出すステップ、ネットワークエンティティからメッセージにおいてバックホールフレーム構成を受信するステップ、又は隣接ＴＲＰからバックホールフレーム構成を受信するステップ、のうち１つを含む。
【０００８】
任意選択で、前の実施例のいずれかにおいて、実施例の別の実現方式が当該方法を提供し、ＴＲＰは、ＴＲＰのＴＲＰタイプに従って第１のサイクル内の開始ポイントを割り当てられる。
【０００９】
任意選択で、前の実施例のいずれかにおいて、実施例の別の実現方式が当該方法を提供し、異なるＴＲＰタイプは、第１のサイクル内の異なる開始ポイントを割り当てられる。
【００１０】
任意選択で、前の実施例のいずれかにおいて、実施例の別の実現方式が当該方法を提供し、第１のサイクルは、ＴＲＰに利用可能なすべての通信ビームを使用して隣接ＴＲＰのすべてに送信するようにＴＲＰを規定する第１のバックホールモードと、ＴＲＰに利用可能なすべての通信ビームの第１のサブセットを使用して隣接ＴＲＰの第１のサブセットから受信するようにＴＲＰを規定する第２のバックホールモードと、ＴＲＰに利用可能なすべての通信ビームの第２のサブセットを使用して隣接ＴＲＰの第２のサブセットから受信するようにＴＲＰを規定する第３のバックホールモードとを含み、隣接ＴＲＰの第１のサブセット及び第２のサブセットの組み合わせは、隣接ＴＲＰのすべてを含む。
【００１１】
任意選択で、前の実施例のいずれかにおいて、実施例の別の実現方式が当該方法を提供し、隣接ＴＲＰの２つより多くのサブセットがあり、隣接ＴＲＰのサブセットは隣接ＴＲＰのすべてを含む。
【００１２】
任意選択で、前の実施例のいずれかにおいて、実施例の別の実現方式が当該方法を提供し、第１のサイクルは、ＴＲＰに利用可能なすべての通信ビームを使用して隣接ＴＲＰのすべてから受信するようにＴＲＰを規定する第４のバックホールモードと、ＴＲＰに利用可能なすべての通信ビームの第３のサブセットを使用して隣接ＴＲＰの第３のサブセットに送信するようにＴＲＰを規定する第５のバックホールモードと、ＴＲＰに利用可能なすべての通信ビームの第４のサブセットを使用して隣接ＴＲＰの第４のサブセットに送信するようにＴＲＰを規定する第６のバックホールモードとを含み、隣接ＴＲＰの第３のサブセット及び第４のサブセットの組み合わせは、隣接ＴＲＰのすべてを含む。
【００１３】
任意選択で、前の実施例のいずれかにおいて、実施例の別の実現方式が当該方法を提供し、隣接ＴＲＰの２つより多くのサブセットがあり、隣接ＴＲＰのサブセットは、隣接ＴＲＰのすべてを含む。
【００１４】
任意選択で、前の実施例のいずれかにおいて、実施例の別の実現方式が当該方法を提供し、バックホール通信モードの複数のサイクルがあり、各サイクルの各バックホール通信モードは、関連づけられた期間中に関連づけられたＴＲＰに利用可能な通信ビームのサブセットを使用して送信又は受信のいずれかを行うように関連づけられたＴＲＰを規定し、各ＴＲＰタイプはバックホールモードの１つのセットを割り当てられる。
【００１５】
任意選択で、前の実施例のいずれかにおいて、実施例の別の実現方式が当該方法を提供し、異なるＴＲＰタイプは、関連づけられたサイクル内の異なる開始ポイントを割り当てられる。
【００１６】
任意選択で、前の実施例のいずれかにおいて、実施例の別の実現方式が当該方法を提供し、サイクルは、異なる数のバックホール通信モードを有し、ＴＲＰに割り当てられた第１のサイクルは、バックホールモードの第２のセットより少ないバックホールモードを有し、当該方法は、少なくとも１つの期間にアイドルのままであるステップをさらに含む。
【００１７】
任意選択で、前の実施例のいずれかにおいて、実施例の別の実現方式が当該方法を提供し、隣接ＴＲＰと通信するステップは、第１の周波数帯で生じ、ＴＲＰは、そのカバレッジエリア内で第２の周波数帯を使用して動作するユーザ装置（user  equipments、ＵＥ）とさらに通信する。
【００１８】
任意選択で、前の実施例のいずれかにおいて、実施例の別の実現方式が当該方法を提供し、第１の周波数帯及び第２の周波数帯は重なる。
【００１９】
任意選択で、前の実施例のいずれかにおいて、実施例の別の実現方式が当該方法を提供し、バックホール通信に使用されるフレームが、ＵＥと通信するために使用される無線フレームに挿入される。
【００２０】
任意選択で、前の実施例のいずれかにおいて、実施例の別の実現方式が当該方法を提供し、バックホール通信に使用されるフレームが、ＵＥを扱うために使用されるフレームの共通部分に挿入される。
【００２１】
任意選択で、前の実施例のいずれかにおいて、実施例の別の実現方式が当該方法を提供し、共通部分はスペシャル（special、Ｓ）サブフレームである。
【００２２】
任意選択で、前の実施例のいずれかにおいて、実施例の別の実現方式が当該方法を提供し、バックホール通信に使用されるフレームが、ＵＥを扱うために使用される連続したフレームの間に挿入される。
【００２３】
例示的な実施例によれば、ネットワークエンティティを動作させる方法が提供される。当該方法は、ネットワークエンティティにより、ＴＲＰの各々の割り当てられたＴＲＰタイプに従ってバックホール通信モードのサイクルをＴＲＰに割り当てるステップと、ネットワークエンティティにより、ＴＲＰの各々の割り当てられたＴＲＰタイプに従ってバックホールフレーム構成をＴＲＰに割り当てるステップと、を含む。
【００２４】
任意選択で、前の実施例のいずれかにおいて、実施例の別の実現方式が当該方法を提供し、ネットワークエンティティにより、ＴＲＰの各々の隣接リストとＴＲＰの各々の能力とに従ってＴＲＰタイプをＴＲＰの各々に割り当てるステップ、をさらに含む。
【００２５】
任意選択で、前の実施例のいずれかにおいて、実施例の別の実現方式が当該方法を提供し、バックホール通信モードのサイクルとバックホールフレーム構成とをメモリ又はデータベースのうち１つに保存するステップ、をさらに含む。
【００２６】
例示的な実施例によれば、ＴＲＰが提供される。ＴＲＰは、プロセッサと、プロセッサにより実行されるプログラミングを記憶するコンピュータ読取可能記憶媒体と、を含む。プログラミングは、当該ＴＲＰのためのバックホール通信モードの第１のサイクルを決定し、第１のサイクルの各バックホール通信モードは、異なる期間に関連づけられ、関連づけられた期間中に当該ＴＲＰに利用可能な通信ビームのサブセットを使用して送信又は受信のいずれかを行うように当該ＴＲＰを促し、各々の関連づけられた期間に当該ＴＲＰと当該ＴＲＰの隣接ＴＲＰとにより使用される通信ビームは、相互干渉を防止するように選択され、第１のサイクルの少なくとも１つのバックホール通信モードは、当該ＴＲＰに利用可能な通信ビームのすべてを使用して送信又は受信のいずれかを行うように当該ＴＲＰを促し、第１のサイクルに従って当該ＴＲＰのためのバックホールフレーム構成を決定し、バックホールフレーム構成は、バックホール通信に使用されるフレームのサブフレームの配置を規定し、第１のサイクル及びバックホールフレーム構成に従って当該ＴＲＰの隣接ＴＲＰと通信するように当該ＴＲＰを構成する命令を含む。
【００２７】
任意選択で、前の実施例のいずれかにおいて、実施例の別の実現方式が当該ＴＲＰを提供し、第１のサイクルは、当該ＴＲＰに利用可能なすべての通信ビームを使用して隣接ＴＲＰのすべてに送信するように当該ＴＲＰを規定する第１のバックホールモードと、当該ＴＲＰに利用可能なすべての通信ビームの第１のサブセットを使用して隣接ＴＲＰの第１のサブセットから受信するように当該ＴＲＰを規定する第２のバックホールモードと、当該ＴＲＰに利用可能なすべての通信ビームの第２のサブセットを使用して隣接ＴＲＰの第２のサブセットから受信するように当該ＴＲＰを規定する第３のバックホールモードとを含み、隣接ＴＲＰの第１のサブセット及び第２のサブセットの組み合わせは、隣接ＴＲＰのすべてを含む。
【００２８】
任意選択で、前の実施例のいずれかにおいて、実施例の別の実現方式が当該ＴＲＰを提供し、第１のサイクルは、当該ＴＲＰに利用可能なすべての通信ビームを使用して隣接ＴＲＰのすべてから受信するように当該ＴＲＰを規定する第４のバックホールモードと、当該ＴＲＰに利用可能なすべての通信ビームの第３のサブセットを使用して隣接ＴＲＰの第３のサブセットに送信するように当該ＴＲＰを規定する第５のバックホールモードと、当該ＴＲＰに利用可能なすべての通信ビームの第４のサブセットを使用して隣接ＴＲＰの第４のサブセットに送信するように当該ＴＲＰを規定する第６のバックホールモードとを含み、隣接ＴＲＰの第３のサブセット及び第４のサブセットの組み合わせは、隣接ＴＲＰのすべてを含む。
【００２９】
任意選択で、前の実施例のいずれかにおいて、実施例の別の実現方式が当該ＴＲＰを提供し、サイクルは、異なる数のバックホール通信モードを有し、当該ＴＲＰに割り当てられた第１のサイクルは、バックホールモードの第２のセットより少ないバックホールモードを有し、プログラミングは、第１のサイクルを完了した後、少なくとも１つの期間にアイドルのままであるように当該ＴＲＰを構成する命令を含む。
【００３０】
例示的な実施例によれば、ネットワークエンティティが提供される。ネットワークエンティティは、プロセッサと、プロセッサにより実行されるプログラミングを記憶するコンピュータ読取可能記憶媒体と、を含む。プログラミングは、送受信ポイント（ＴＲＰ）の各々の割り当てられたＴＲＰタイプに従ってバックホール通信モードのサイクルをＴＲＰに割り当て、ＴＲＰの各々の割り当てられたＴＲＰタイプに従ってバックホールフレーム構成をＴＲＰに割り当てるように当該ネットワークエンティティを構成する命令を含む。
【００３１】
任意選択で、前の実施例のいずれかにおいて、実施例の別の実現方式が当該ネットワークエンティティを提供し、プログラミングは、ＴＲＰの各々の隣接リストとＴＲＰの各々の能力とに従ってＴＲＰタイプをＴＲＰの各々に割り当てるように当該ネットワークエンティティを構成する命令を含む。
【００３２】
前述の実施例の実施は、各ＴＲＰがその直接の隣接の各々とデータ及び／又は制御情報を交換することを可能にし、最小のオーバヘッドでＴＲＰ間の十分なマルチポイント接続性を可能にする。
【００３３】
前述の実施例の実施は、隣り合うセクタの間のクロス干渉、例えば、上りリンク対下りリンクを回避する。
【００３４】
前述の実施例の実施は、それぞれのＴＲＰの需要に合うように、アクセスのための５Ｇミリ波ＴＤＤフレーム構造に統合し、バックホール（又は、フロントホール）のための上りリンク及び／又は下りリンクサブフレームを適応的に変更することができる。これは、半静的又は動的な方法で行われてもよい。
【図面の簡単な説明】
【００３５】
本開示及びその利点のより完全な理解のために、次に、添付図面と共に挙げられる以下の説明に対して参照が行われる。
【図１】ここで提示される実施例による例示的な無線通信システムを示す。
【図２Ａ】ここで提示される実施例による、フレームＮ及びＮ＋１の例示的なサブフレーム構造を示す。
【図２Ｂ】ここで提示される実施例による、図２Ａに示されるＳサブフレームの間の、セクタ及びセル（すなわち、ｅＮＢ）の間の通信を強調する例示的な通信システムを示す。
【図２Ｃ】ここで提示される実施例による、専用接続を使用してｅＮＢ間でフレーム構成情報をシグナリングするための例示的なＴＤＤフレームフォーマットを示す。
【図３Ａ】ここで提示される実施例による、高周波数バックホールリンクに使用される周波数帯の帯域幅割り振り図を示し、アクセスは異なる周波数帯を使用する。
【図３Ｂ】ここで提示される実施例による、高周波数バックホールリンクに使用される周波数帯の帯域幅割り振り図を示し、アクセスは同じ周波数帯を使用する。
【図４Ａ】図４Ａ及び４Ｂは、ここで提示される実施例による、レガシー基地局（４Ｇ基地局）から４Ｇ基地局の間に配置される５Ｇスモールセルのセットへの及び該セットからの、ビームフォーミングされたミリ波フロントホール送信／受信を多重する従来技術を示す。
【図４Ｂ】図４Ａ及び４Ｂは、ここで提示される実施例による、レガシー基地局（４Ｇ基地局）から４Ｇ基地局の間に配置される５Ｇスモールセルのセットへの及び該セットからの、ビームフォーミングされたミリ波フロントホール送信／受信を多重する従来技術を示す。
【図５Ａ】ここで提示される実施例による、ＴＲＰとＴＲＰのための第１のバックホールモードを強調するカバレッジエリアとを示し、ＴＲＰはその通信ビームの全数を使用して送信する。
【図５Ｂ】ここで提示される実施例による、ＴＲＰとＴＲＰのための第３のバックホールモードを強調するカバレッジエリアとを示し、ＴＲＰは通信ビームの第１のセットを使用して受信する。
【図５Ｃ】ここで提示される実施例による、ＴＲＰとＴＲＰのための第２のバックホールモードを強調するカバレッジエリアとを示し、ＴＲＰは通信ビームの第２のセットを使用して受信する。
【図６Ａ】図６Ａ〜６Ｃは、ここで提示される実施例による、高周波数バックホールリンクを容易にするために異なる第１の例示的なバックホールモードで動作するＴＲＰを強調する通信システムの一部の図を示す。
【図６Ｂ】図６Ａ〜６Ｃは、ここで提示される実施例による、高周波数バックホールリンクを容易にするために異なる第１の例示的なバックホールモードで動作するＴＲＰを強調する通信システムの一部の図を示す。
【図６Ｃ】図６Ａ〜６Ｃは、ここで提示される実施例による、高周波数バックホールリンクを容易にするために異なる第１の例示的なバックホールモードで動作するＴＲＰを強調する通信システムの一部の図を示す。
【図７Ａ】ここで提示される実施例による、ＴＲＰとＴＲＰのための第１のバックホールモードを強調するカバレッジエリアとを示し、ＴＲＰはその通信ビームの全数を使用して受信する。
【図７Ｂ】ここで提示される実施例による、ＴＲＰとＴＲＰのための第２のバックホールモードを強調するカバレッジエリアとを示し、ＴＲＰは通信ビームの第１のセットを使用して送信する。
【図７Ｃ】ここで提示される実施例による、ＴＲＰとＴＲＰのための第３のバックホールモードを強調するカバレッジエリアとを示し、ＴＲＰは通信ビームの第２のセットを使用して送信する。
【図８Ａ】図８Ａ〜８Ｃは、ここで提示される実施例による、高周波数バックホールリンクを容易にするために異なる第２の例示的なバックホールモードで動作するＴＲＰを強調する通信システムの一部の図を示す。
【図８Ｂ】図８Ａ〜８Ｃは、ここで提示される実施例による、高周波数バックホールリンクを容易にするために異なる第２の例示的なバックホールモードで動作するＴＲＰを強調する通信システムの一部の図を示す。
【図８Ｃ】図８Ａ〜８Ｃは、ここで提示される実施例による、高周波数バックホールリンクを容易にするために異なる第２の例示的なバックホールモードで動作するＴＲＰを強調する通信システムの一部の図を示す。
【図９Ａ】図９Ａ〜９Ｃは、ここで提示される実施例による、第１のＴＲＰタイプのためのバックホールモードの第１のセットのバックホールモードの図を示す。
【図９Ｂ】図９Ａ〜９Ｃは、ここで提示される実施例による、第１のＴＲＰタイプのためのバックホールモードの第１のセットのバックホールモードの図を示す。
【図９Ｃ】図９Ａ〜９Ｃは、ここで提示される実施例による、第１のＴＲＰタイプのためのバックホールモードの第１のセットのバックホールモードの図を示す。
【図９Ｄ】図９Ｄ〜９Ｇは、ここで提示される実施例による、第２及び第３のＴＲＰタイプのためのバックホールモードの第２のセットのバックホールモードの図を示す。
【図９Ｅ】図９Ｄ〜９Ｇは、ここで提示される実施例による、第２及び第３のＴＲＰタイプのためのバックホールモードの第２のセットのバックホールモードの図を示す。
【図９Ｆ】図９Ｄ〜９Ｇは、ここで提示される実施例による、第２及び第３のＴＲＰタイプのためのバックホールモードの第２のセットのバックホールモードの図を示す。
【図９Ｇ】図９Ｄ〜９Ｇは、ここで提示される実施例による、第２及び第３のＴＲＰタイプのためのバックホールモードの第２のセットのバックホールモードの図を示す。
【図１０Ａ】図１０Ａ〜１０Ｄは、ここで提示される実施例による、高周波数バックホールリンクを容易にするためにバックホールモードの異なる例示的なセットで動作するＴＲＰを強調する通信システムの一部の図を示す。
【図１０Ｂ】図１０Ａ〜１０Ｄは、ここで提示される実施例による、高周波数バックホールリンクを容易にするためにバックホールモードの異なる例示的なセットで動作するＴＲＰを強調する通信システムの一部の図を示す。
【図１０Ｃ】図１０Ａ〜１０Ｄは、ここで提示される実施例による、高周波数バックホールリンクを容易にするためにバックホールモードの異なる例示的なセットで動作するＴＲＰを強調する通信システムの一部の図を示す。
【図１０Ｄ】図１０Ａ〜１０Ｄは、ここで提示される実施例による、高周波数バックホールリンクを容易にするためにバックホールモードの異なる例示的なセットで動作するＴＲＰを強調する通信システムの一部の図を示す。
【図１１】ここで提示される実施例による、高周波数バックホールリンクサポートのためのＴＤＤサブフレームを搬送するために使用される拡張サブフレームを有する例示的なフレーム構造を示す。
【図１２】ここで提示される実施例による、３ＧＰＰ  ＬＴＥ‐ＡのためのＴＤＤフレーム構成を示す。
【図１３】ここで提示される実施例による、高周波数バックホールリンクをサポートするための例示的なＴＤＤフレームフォーマットを示す。
【図１４】ここで提示される実施例による一般化された通信システムを示す。
【図１５】ここで提示される実施例による、ＴＲＰがＴＤＤバックホールフレーム構成を取得するための例示的な方法を示す。
【図１６Ａ】図１６Ａ及び１６Ｂは、ここで提示される実施例による、都市エリアのための例示的な展開を示す。
【図１６Ｂ】図１６Ａ及び１６Ｂは、ここで提示される実施例による、都市エリアのための例示的な展開を示す。
【図１７】ここで提示される実施例による、バックホールモード対ＴＤＤバックホールサブフレームマッピングを実行するネットワークエンティティで生じる例示的な動作のフロー図を示す。
【図１８】ここで提示される実施例による、高周波数バックホールリンクを使用して通信するＴＲＰで生じる例示的な動作のフロー図を示す。
【図１９】ここで説明される方法を実行する例示的な処理システムのブロック図を示す。
【図２０】ここで提示される実施例による、電気通信ネットワークを通じてシグナリングを送信及び受信するように適合された送受信機のブロック図を示す。
【発明を実施するための形態】
【００３６】
現在の例示的な実施例の構成及び使用が以下で詳細に論じられる。しかしながら、本開示は幅広い種類の具体的な文脈で具現化できる多くの適用可能な発明概念を提供することが十分理解されるべきである。論じられる具体的な実施例は、実施例を構成及び使用するための具体的な方法の例示に過ぎず、開示の範囲を限定しない。
【００３７】
図１は、例示的な無線通信システム１００を示す。通信システム１００は、ＵＥ１１０、ＵＥ１１２、及びＵＥ１１４などの複数のユーザ装置（user  equipments、ＵＥ）を扱う進化型ノードＢ（evolved  NodeB、ｅＮＢ）１０５を含む。第１の動作モードにおいて、ＵＥに対する送信とＵＥによる送信とがｅＮＢを通過する。ｅＮＢは、ＵＥへの又はＵＥからの送信のためのネットワークリソースを割り振る。ｅＮＢは、基地局、ノードＢ、マスタｅＮＢ（master  eNBs、ＭｅＮＢ）、セカンダリｅＮＢ（secondary  eNBs、ＳｅＮＢ）、リモートラジオヘッド、アクセスポイントなどと一般に呼ばれることもあり、一方、ＵＥは、モバイル、移動局、端末、加入者、ユーザ、局などと一般に呼ばれることもある。１つ以上のＵＥを扱っている基地局（又は、ｅＮＢ、ノードＢ、リモートラジオヘッド、アクセスポイント、送信ポイント、送受信ポイントなど）は、サービング基地局（serving  base  station、ＳＢＳ）と呼ばれることがある。送信ポイントは、送信することができる任意のデバイスを参照するために使用されることがある。ゆえに、送受信ポイント（ＴＲＰ）は、ｅＮＢ、基地局、ノードＢ、リモートラジオヘッド、アクセスポイントを一般に参照するが、ＵＥ、モバイル、移動局、端末、加入者、ユーザなどをさらに含むことができる。
【００３８】
通信システムは、複数のＵＥと通信することができる複数のｅＮＢ（又はＴＲＰ）を採用し得ることが理解されるが、簡潔さのために１つだけのｅＮＢと複数のＵＥとが示される。
【００３９】
セルは、ｅＮＢのカバレッジエリアを参照する一般に使用される用語である。典型的に、セルは、ｅＮＢのセクタ化された（sectorized）アンテナの１つ以上のセクタにより扱われる。ゆえに、ｅＮＢのカバレッジエリアは、複数のセクタに区分されたセルを含む。例示的な例として、ｅＮＢが３セクタアンテナシステムを使用するシナリオにおいて、ｅＮＢのセルは３つのセクタに分割でき、各セクタは、別個のアンテナ（１２０度の例示的なビーム幅を有する）又は全体アンテナシステムの別個の部分によりカバーされる。別の例示的な例として、ｅＮＢが６セクタアンテナシステムを使用する（例えば、各アンテナは６０度のセクタをカバーし得る）シナリオにおいて、ｅＮＢのセルは６つのセクタ又は３つのセクタに分割でき、各セクタは、１つ若しくは２つのアンテナ又はアンテナシステムの部分セクタによりそれぞれカバーされる。
【００４０】
2015年11月13日に出願され、「System  and  Method  for  Interference  Coordination  in  Cellular  Millimeter  Wave  Communications  Systems」と題され、ここで参照により援用される共同譲渡の米国特許出願公開第2016/0183232号において、ミリメータ波（millimeter  wave、ミリ波（mmWave））バックホールを使用する高速なＴＲＰ対ＴＲＰ（TRP  to  TRP）通信のための例示的な簡素な時分割複信（time  division  duplexed、ＴＤＤ）方式が提示されている。そこで提示された技術の目標は、そこで提示された例示的な実施例の特徴をサポートするために、隣接ＴＲＰが（現在のＸ２インターフェースよりかなり高速な）フレームごとに制御情報を交換できることを示すことであり、これは、ミリ波通信システムでＴＤＤをサポートするための送信ビームブランキングのためであった。
【００４１】
図２Ａは、フレームＮ  ２０５及びＮ＋１  ２１０の例示的なサブフレーム構造２００を示す。フレームＮ  ２０５のＳサブフレーム２１５において、セル１のセクタＣを扱うＴＲＰが、セル２のセクタＡを扱うＴＲＰ及びセル３のセクタＡを扱うＴＲＰと通信し（下方を指し示す矢印として示される）、一方、フレームＮ＋１  ２１０のＳサブフレーム２２０において、セル２のセクタＡを扱うＴＲＰ及びセル３のセクタＡを扱うＴＲＰは、セル１のセクタＣのＴＲＰと通信する（上方を指し示す矢印として示される）。図２Ｂは、図２Ａに示されるＳサブフレームの間、異なるセクタ及びセルカバレッジエリアを扱うＴＲＰ間の通信を強調する例示的な通信システム２３０を示す。ＴＲＰ対ＴＲＰ通信で使用されるビームは少なくとも部分的にブランク化され（blanked）、ブランク化されたビームと呼ばれることが留意される。
【００４２】
図２Ｃは、（より従来的なＸ２リンクを使用することとは対照的に）専用接続を使用してＴＲＰ間でフレーム構成情報をシグナリングするための例示的なＴＤＤフレームフォーマット２６０を示す。図２Ｃに示されるように、Ｓサブフレーム２６７内のガード期間（guard  period、ＧＰ）２６５が、ＴＲＰ間でフレーム構成情報を通信するためにブランク化されたビームと関連して使用されてもよく、これは、この時間にデータが送信されないため、ビームフォーミングハードウェアを有利に再使用し得る。フレーム構成情報は、選択されたＴＤＤフレーム構成と、以下：
‐  使用されるビームインデックスのセット
‐  ほぼブランクフラグビット、及び
‐  再スケジュールフラグ
のうち１つ以上とを含んでもよい。
【００４３】
フレーム構成情報は、バックホール／フロントホール使用のために割り振られる、全体ミリ波帯２７５の第１の部分２７０で送信されてもよく、一方、第２の部分２８０は、アクセス、例えば、ミリ波デバイスがセルラーに基づく技術を使用して受信又は送信することができるミリ波アクセスのために割り振られる。利用可能な帯域幅の別個の部分がフレーム構成情報の交換のために専用にされる状況は、アウトオブバンドシグナリングと呼ばれる。ブランク化されたサブフレーム内で利用可能な帯域幅の再使用に対して追加で又は代替として、バックホールＸ２インターフェースが、この制御情報をシグナリングするために使用されてもよい。
【００４４】
図２Ｃは、任意のフレームフォーマット（（図２Ｃに示されるような）ＴＤＤ及び／又はＦＤＤ）を有する（ただし依然として全体バンド２７５内の）アウトオブバンドシグナリングをさらに示す。既存のビームフォーミングハードウェアが、ＴＤＤフレームのＳサブフレーム２６７などのＳサブフレームのＧＰで再使用され得る。インバンドシグナリング（他の通信のために専用にされた帯域幅の一部が、フレーム構成情報を交換するために使用され、例えば、第２の部分２８０を使用する）が、ＴＤＤフレームのＳサブフレームでさらに使用されてもよい。
【００４５】
しかしながら、ＴＲＰ対ＴＲＰリンクは、より大域的なセルラーの基礎で動作し、単一のリンクとだけ考えられなくてもよいことが留意される。さらに、超高密度ネットワーク（ultra-dense  networks、ＵＤＮ）のための将来のＵＥ中心（クラウドセル及び仮想セルコンセプト）、高速な高キャパシティの低レイテンシのＴＲＰ対ＴＲＰリンクが要求される可能性があり（例えば、フロントホール及び／又はバックホール）、なぜならば、ユーザデータは、以下を含む様々な理由で、あるＴＲＰから別のものに運ばれる（例えば、交換される）必要があり得るからである：
‐  ＵＥ中心セル内のあらゆるＴＲＰが（Ｓ１ベアラを介して）スイッチングゲートウェイに対する専用接続を有するわけではないという見込みがある。スイッチングゲートウェイは、ＴＲＰ間の接続性を提供することを担う、より高いレベルのネットワークエンティティである。多くのＵＥ中心コンセプトは、マスタＴＲＰ（又はＵＥ中心セルのヘッドノード）のみが（有線又は無線接続を介して）スイッチングゲートウェイに接続され、マスタＴＲＰがユーザデータをＵＥ中心セル内の他のＴＲＰに配信して異なる通信モードをサポートすることを提案している。
‐  ＵＥがＴＲＰのグループを通して移動するとき、各々のＵＥ中心セルのためのＴＲＰのセットはかなり動的に変化し、ユーザデータは、ユーザデータがＵＥへの送信のために存在することを確保するために、ＴＲＰ間で交換される必要があり得る。
【００４６】
図２Ａ〜２Ｃは、共同譲渡の米国特許出願第14/941,243号で提示される技術の例示である。
【００４７】
例示的な実施例によれば、高帯域幅の低レイテンシのリンクは、現在のＸ２リンクに取って代わり、あるいは現在のＸ２リンクを補足する。リンクは、通信システムのアーキテクチャに依存してバックホール又はフロントホールのいずれかとして呼ばれることがある。用語のバックホールは用語のフロントホールと交換可能に使用されるが、いくつかの定義においてこれらは異なることがある。リンクは、６ＧＨｚ及びそれ以上のスペクトル（例えば、１５ＧＨｚ、２８ＧＨｚ、３８／３９ＧＨｚ、７０〜８０ＧＨｚなどのスペクトル帯）を利用してもよく、リンクは、ミリ波通信システムのミリ波バックホールと呼ばれるものとする。高周波数で動作する通信システムは、高いキャリア周波数で存在する高いパスロスを補償するためにビームフォーミングを使用する必要がある。バックホールリンクは、アクセス（セルラーに基づく接続性）が６ＧＨｚ未満で動作しているセルラー通信システム（例えば、３ＧＰＰ  ＬＴＥ‐Ａ準拠の通信システム）に対して、又はアクセスが（少なくとも部分的に）高いキャリア周波数をさらに使用しているとき、使用されてもよい。
【００４８】
図３Ａは、高周波数バックホールリンクに使用される周波数帯の帯域幅割り振り図３００を示し、アクセスは異なる周波数帯を使用する。図３Ａに示されるように、アクセスが異なる周波数帯を使用するため、高周波数バックホールリンクに使用される周波数帯の全体が高周波数バックホールリンクにより使用可能である。図３Ｂは、高周波数バックホールリンクに使用される周波数帯の帯域幅割り振り図を示し、アクセスはバックホールリンクと同じ周波数帯を使用する。第１の帯域幅割り振り図３５０は、高周波数帯が周波数分割多元接続（frequency  division  multiple  access、ＦＤＭＡ）を使用してバックホールリンクとアクセスとの間で共有され、少なくとも２つの部分に区分される状況を示し、第１の高周波数部分はバックホールリンクに割り振られ、第２の高周波数部分はアクセスに割り振られている。第２の帯域幅割り振り図３７０は、周波数帯が時分割多元接続（time  division  multiple  access、ＴＤＭＡ）又は空間分割多元接続（spatial  division  multiple  access、ＳＤＭＡ）を使用して高周波数バックホールリンクとアクセスとの間で共有される状況を示す。ＴＤＭＡが使用される場合、バックホールリンクは、特定の時間に高周波数帯を使用するように割り当てられ、アクセスは、他の特定の時間に高周波数帯を使用するように割り当てられる。ＳＤＭＡが使用される場合、高周波数バックホールリンクは、特定の空間的向き（又は、ビーム方向）でのみ周波数帯を使用するように割り当てられ、アクセスは、他の特定の空間的向き（又は、ビーム方向）で同じ周波数帯を使用するように割り当てられ、空間的向きは時間に応じて変化してもよい。
【００４９】
例示的な実施例によれば、高周波数バックホールリンクは、各ＴＲＰの要件に依存して異なる方向でそのデータレートを変更するための柔軟性を有する。各ＴＲＰが、アクセスのために異なる上りリンク及び下りリンク比率で（例えば、アクセスのために異なる選択されたＴＤＤフレーム構造を用いて）ＵＥを扱っている可能性があるため、高周波数バックホールリンクは、ＴＲＰをサポートするためにその独自のデータレートを変更する必要がさらにあり得る。例示的な例として、上りリンク対下りリンク比率がかなり小さい（すなわち、上りリンクが下りリンクよりかなり小さい）場合、高周波数バックホールリンクは、その下りリンクデータレートを変更して、ＴＲＰへのさらなる下りリンクデータの転送を可能にし、ＴＲＰ要件を満たす。
【００５０】
例示的な実施例によれば、ＴＤＭＡは、高周波数バックホールリンクとアクセスとの間の高周波数帯の使用を多重するために使用される。高周波数帯の使用は、ＦＤＭＡを使用することにより高周波数バックホールリンク及びアクセスについて多重できるが、ＴＤＭＡが特に魅力的であることがあり、なぜならば、高周波数バックホールリンクとアクセスとの間のキャパシティが需要を満たすように動的に変更でき、これは、ＦＤＭＡでよりＴＤＭＡで一般により容易であるからである。ＳＤＭＡでは、アクセスと高周波数バックホールリンクとの間の十分な分離が、すべての展開について補償するのに困難である可能性がある。
【００５１】
図４Ａ及び４Ｂは、レガシー基地局（４Ｇ基地局）から４Ｇ基地局の間に配置される５Ｇスモールセルのセットへの及び該セットからの、ビームフォーミングされたミリ波フロントホール送信／受信を多重する従来技術を示す。図４Ａは、R.  Taori及びA.  Sridhanenの「Point-to-Multipoint  In-Band  mmWave  Backhaul  for  5G  Networks」、IEEE  Communications  Magazine、2015年1月で提示されており、図４Ｂは、米国特許出願公開第2015/0036571号の「Transmission  and  scheduling  for  wireless  front  haul」で提示されており、これらの双方はここで参照により援用される。４Ｇ基地局は有線バックホール接続を有し（Ｗ‐ＢＳとラベル付けされている）、５Ｇ基地局（Ｕ‐ＢＳとラベル付けされている）は有線４Ｇ基地局の間に配置される。各々の５Ｇ基地局に対して各々の有線４Ｇ基地局を有効にする技術が提示されている。従来技術は、４Ｇ及び５Ｇ基地局の特定の展開の混合下で、各々の有線でない５Ｇ基地局が各々の有線４Ｇ基地局に接続されることを開示している。そのようなものとして、隣接５Ｇ  ＴＲＰ（基地局）が互いに直接接続を有するための調節はない。隣接５Ｇ  ＴＲＰが情報（制御及び／又はデータ）を交換したい場合、情報はＷ‐ＢＳを通してリレーされる必要があり、これは、レイテンシ及びキャパシティ問題につながる。例として、各々のＴＲＰ対ＴＲＰ交換がＷ‐ＢＳにより処理される必要があるため、複数のフレーム及び／又はサブフレーム並びにＷ‐ＢＳ処理に対応するレイテンシがもたらされる。別の例として、各々のＴＲＰ対ＴＲＰ交換は、Ｗ‐ＢＳ対Ｕ‐ＢＳリンクのキャパシティを使用する（したがって、該キャパシティに制限される）。最後、従来技術は、すべての可能な展開に適用可能ではない。
【００５２】
例示的な実施例によれば、各ＴＲＰからその隣接ＴＲＰのすべてへの高周波数バックホールリンクをサポートする多重方式が提供され、隣接ＴＲＰは、スイッチングゲートウェイに対する接続性を有してもよく、有さなくてもよい。一見したところ、問題は比較的簡素に見える。共同譲渡の米国特許出願第14/941,243号で提示されているような、ＴＤＤ送信が各セル端を越える場合の解決策が使用されてもよい。しかしながら、解決策は、ただ１つのＴＲＰが他のＴＲＰと通信するのでなくすべてのＴＲＰが互いに通信する必要がある状況に対処していない。さらに、提案される解決策は、クロス干渉を低減するために、単一のＴＲＰの隣り合うアンテナアレイが同時に送信及び受信モードにあるように要求すべきでない。
【００５３】
例示的な実施例によれば、ＴＲＰをその隣接の各々に接続する高周波数バックホールリンクを可能にするＴＤＤ技術が提示される。ＴＤＤ技術は、レイテンシを低減するために、可能な限り少ないサブフレームを利用する。
【００５４】
例示的な実施例によれば、各ＴＲＰは、高周波数バックホールリンク上で通信するための整数個のバックホール動作モードを有する。各々のバックホール動作モード内で、ＴＲＰは、下りリンク及び上りリンクの双方でなく、下りリンク送信又は上りリンク受信を実行する。バックホール動作モード間に、ＴＲＰは、例えば下りリンクから上りリンクに、又は上りリンクから下りリンクに通信モードを切り替え、あるいは、例えば下りリンクから下りリンクに、又は上りリンクから上りリンクに、同じ通信モードにとどまることができる。あらゆるＴＲＰが同じバックホール動作モードを使用するが、異なるＴＲＰタイプが所与の期間に異なるバックホールモードを実行する。バックホールモードの割り当てはＴＲＰタイプに基づいて行われ、ＴＲＰタイプは、例えば、手動で又はアルゴリズム的に割り当てられてもよい。ＴＲＰは、バックホールモードを順次繰り返す（cycle  through）。
【００５５】
例示的な実施例によれば、各ＴＲＰは、高周波数バックホールリンク上で通信するための３つのバックホール動作モードを有する。第１のバックホールモードにおいて、ＴＲＰは、その通信ビームの全数を使用して、その隣接ＴＲＰのすべてと通信する（送出し、あるいは受信する）。第２のバックホールモードにおいて、ＴＲＰは、その通信ビームの第１のセットを使用して、その隣接ＴＲＰの第１のセットと通信し（受信し、あるいは送出し）、第３のバックホールモードにおいて、ＴＲＰは、その通信ビームの第２のセットを使用して、その隣接ＴＲＰの第２のセットと通信する（受信し、あるいは送出する）。隣接ＴＲＰの第１のセット及び隣接ＴＲＰの第２のセットの組み合わせは、隣接ＴＲＰのすべてを構成する。さらに、隣接ＴＲＰの第１のセット及び隣接ＴＲＰの第２のセットは、相互に排他的でもよい。通信ビームの第１のセット及び通信ビームの第２のセットの組み合わせは、通信ビームの全数を構成する。さらに、通信ビームの第１のセット及び通信ビームの第２のセットは、相互に排他的である。
【００５６】
ＴＲＰ及びその隣接ＴＲＰは、サブフレームごとにバックホールモードを切り替えてもよい。バックホールモードを各サブフレーム切り替えることは、高周波数バックホールリンクに関連づけられたレイテンシを低減するのに役立つ。代替的に、ＴＲＰ及びその隣接ＴＲＰは、規定されたパターンのサブフレームの後にバックホールモードを切り替えてもよい。例示的な例として、ＴＲＰ及びその隣接ＴＲＰはＮ番目のサブフレーム毎にバックホールモードを切り替え、Ｎは１、２、３、４などに等しい。別の例示的な例として、ＴＲＰ及びその隣接ＴＲＰは、異なる数のサブフレームのために異なるバックホールモードにとどまってもよい。ＴＲＰは、開始ＴＲＰに対する各ＴＲＰの関係に依存して、異なるバックホールモードで開始する。第１のＴＲＰが、その初期モードとして第１のバックホールモードで開始してもよく、一方、第１のＴＲＰの直ぐ隣接（すなわち、いくつかの第１の順序の隣接）であるいくつかのＴＲＰが、その初期モードとして第２のバックホールモードで開始してもよく、同様に第１の順序の隣接（すなわち、他の最も近い隣接）である他のＴＲＰが、その初期モードとして第３のバックホールモードで開始してもよく、以下同様である。スケジューリングアルゴリズムが、通信システムのＴＲＰのための初期バックホールモードを決定するために使用されてもよい。代替的に、初期バックホールモードは手動で規定されてもよい。
【００５７】
例示的な実施例によれば、第１のバックホールモードは、ＴＲＰがその通信ビームの全数を使用して、その隣接ＴＲＰのすべてに送信することを含み、第２のバックホールモードは、ＴＲＰが通信ビームの第１のセットを使用して、その隣接ＴＲＰの第１のセットから受信することを含み、第３のバックホールモードは、ＴＲＰが通信ビームの第２のセットを使用して、その隣接ＴＲＰの第２のセットから受信することを含む。通信ビームの第１のセット及び通信ビームの第２のセットの組み合わせは、通信ビームの全数を構成する。さらに、通信ビームの第１のセット及び通信ビームの第２のセットは、相互に排他的である。
【００５８】
図５Ａは、ＴＲＰと、ＴＲＰのための第１のバックホールモードを強調するカバレッジエリア５００とを示し、ＴＲＰはその通信ビームの全数を使用して送信する。通信ビームの全数を使用して送信することは、ＴＲＰがその最も近い隣接ＴＲＰのすべてに送信することを可能にする。
【００５９】
図５Ｂは、ＴＲＰと、ＴＲＰのための第２のバックホールモードを強調するカバレッジエリア５３０とを示し、ＴＲＰは通信ビームの第１のセットを使用して受信する。通信ビームの第１のセットを使用して受信することは、ＴＲＰがその最も近い隣接ＴＲＰの第１のサブセットから受信することを可能にする。図５Ｂに示されるように、通信ビームの第１のセットはＴＲＰの通信ビームの全数のうち半分を含み、ゆえに、ＴＲＰはその最も近い隣接ＴＲＰのうち約半分から受信することができる。
【００６０】
図５Ｃは、ＴＲＰと、ＴＲＰのための第３のバックホールモードを強調するカバレッジエリア５６０とを示し、ＴＲＰは通信ビームの第２のセットを使用して受信する。通信ビームの第２のセットを使用して受信することは、ＴＲＰがその最も近い隣接ＴＲＰの第２のサブセットから受信することを可能にする。図５Ｂに示される通信ビームの第１のセット及び通信ビームの第２のセットは、相互に排他的である。図５Ｃに示されるように、通信ビームの第２のセットはＴＲＰの通信ビームの全数のうち半分を含み、ゆえに、ＴＲＰはその最も近い隣接ＴＲＰのうち約半分から受信することができる。第１のセット及び第２のセットが相互に排他的であるため、第２のバックホールモード及び第３のバックホールモードの間、ＴＲＰは最も近い隣接ＴＲＰのすべてから受信することができる。
【００６１】
図６Ａ〜６Ｃは、高周波数バックホールリンクを容易にするために、異なる第１の例示的なバックホールモードで動作するＴＲＰを強調する通信システムの一部の図を示す。任意の所与の期間内に、ＴＰＲのバックホールモードが、その隣接ＴＲＰに相対するＴＲＰの位置に基づいて決定される。スケジューリングアルゴリズムが、通信システムのＴＲＰのモードを決定するために使用されてもよい。代替的に、通信システムのＴＲＰのモードは、メモリ／データベース、ネットワークエンティティ、隣接ＴＲＰ、又はこれらの組み合わせから決定されてもよい。図表６００（図６Ａ）は、第１の期間中のＴＲＰのバックホールモードを示す。第１の期間中、第１のＴＲＰ６０５（タイプＣとラベル付けされている）が、第２のバックホールモードで動作する（通信ビームの第１のセットを使用して受信する）ように設定される。第１のＴＲＰ６０５の隣接ＴＲＰの第１のサブセット（タイプＡとラベル付けされている）、例えば、第２のＴＲＰ６０７、第３のＴＲＰ６０９、及び第４のＴＲＰ６１１が、第１のバックホールモードで動作する（その通信ビームの全数を使用して送信する）ように設定され、第１のＴＲＰ６０５の隣接ＴＲＰの第２のサブセット（これらはタイプＢとラベル付けされている）、例えば、第５のＴＲＰ６１３、第６のＴＲＰ６１５、及び第７のＴＲＰ６１７は、第３のバックホールモードで動作する（通信ビームの第２のセットを使用して受信する）ように設定される。第１の期間中のＴＲＰのバックホールモードは、ＴＲＰの初期バックホールモードと呼ばれる。図６Ａに示されるＴＲＰの初期バックホールモードは、例示及び議論のために提示された例に過ぎないことが留意される。初期バックホールモードは、通信ビームが異なる場合、通信システムのトポロジが異なる場合、異なる実現方式選択が行われる場合、通信ビームの異なるセットの場合などで異なってもよい。図６Ａに示されるＴＲＰ間の関係が維持される限り、他の初期バックホールモードが可能である。
【００６２】
図表６３０（図６Ｂ）は、第２の期間中のＴＲＰのバックホールモードを示す。第２の期間中、第１のＴＲＰ６０５は、第３のバックホールモードで動作する（通信ビームの第２のセットを使用して受信する）ように設定され、一方、第１のＴＲＰ６０５の隣接ＴＰＲの第１のサブセット（タイプＡとラベル付けされている）、例えば、第２のＴＲＰ６０７、第３のＴＲＰ６０９、及び第４のＴＲＰ６１１は、第２のバックホールモードで動作する（通信ビームの第１のセットを使用して受信する）ように設定され、第１のＴＲＰ６０５の隣接ＴＲＰの第２のサブセット（タイプＢとラベル付けされている）、例えば、第５のＴＲＰ６１３、第６のＴＲＰ６１５、及び第７のＴＲＰ６１７は、第１のバックホールモードで動作する（その通信ビームの全数を使用して送信する）ように設定される。換言すると、各ＴＲＰは、次のバックホールモードに順次変化する。例として、ＴＲＰが第１の期間に第１のバックホールモードで動作していた場合、第２の期間にＴＲＰは第２のバックホールモードで動作する。同様に、ＴＲＰが第１の期間に第３のバックホールモードで動作していた場合、第２の期間にＴＲＰは第１のバックホールモードで動作する。異なるバックホールモードの一貫した繰り返しが、ＴＲＰが過度の干渉を引き起こすことなく通信することを可能にする。
【００６３】
図表６６０（図６Ｃ）は、第３の期間中のＴＲＰのバックホールモードを示す。第３の期間中、第１のＴＲＰ６０５は、第１のバックホールモードで動作する（その通信ビームの全数を使用して送信する）ように設定され、一方、第１のＴＲＰ６０５の隣接ＴＲＰの第１のサブセット（タイプＡとラベル付けされている）、例えば、第２のＴＲＰ６０７、第３のＴＲＰ６０９、及び第４のＴＲＰ６１１は、第３のバックホールモードで動作する（通信ビームの第２のセットを使用して受信する）ように設定され、第１のＴＲＰ６０５の隣接ＴＲＰの第２のサブセット（タイプＢとラベル付けされている）、例えば、第５のＴＲＰ６１３、第６のＴＲＰ６１５、及び第７のＴＲＰ６１７は、第２のバックホールモードで動作する（通信ビームの第１のセットを使用して受信する）ように設定される。
【００６４】
表１は、異なるＴＲＰタイプのための例示的なバックホールモードを示し、Ｄは下りリンク通信を表し、Ｕは上りリンク通信を表す。
【表１】
2019523580.tif 000003
【００６５】
サブフレームは異なる時間順序であってもよく、すなわち、表１に示される情報は単に議論目的のものである。バックホールモードは、議論で示されるようにＴＲＰタイプと同期されることが重要である。表１に示される情報は、セクタにつき１つの完全な下りリンク及び上りリンク送信セットを可能にする。複数の下りリンク及び／又は上りリンクが必要とされてもよく、選択されたＴＤＤフレーム構造に依存して動的に割り当てられてもよい。このことのさらなる議論が以下に提示される。アクセス（ｅＮＢ対ＵＥの通信）のためのＴＤＤと違い、ＴＲＰ間の伝搬遅延は既知であり、ゆえに、下りリンク及び上りリンクサブフレーム間のＳサブフレームが必要とされない。例えば、ＴＲＰ対ＴＲＰ遅延はガード時間に組み込まれ得る。
【００６６】
例示的な実施例によれば、第１のバックホールモードは、ＴＲＰがその通信ビームの全数を使用して、その隣接ＴＲＰのすべてから受信することを含み、第２のバックホールモードは、ＴＲＰが通信ビームの第１のセットを使用して、その隣接ＴＲＰの第１のセットに送信することを含み、第３のバックホールモードは、ＴＲＰが通信ビームの第２のセットを使用して、その隣接ＴＲＰの第２のセットに送信することを含む。隣接ＴＲＰの第１のセット及び隣接ＴＲＰの第２のセットの組み合わせは、隣接ＴＲＰのすべてを構成する。さらに、隣接ＴＲＰの第１のセット及び隣接ＴＲＰの第２のセットは、相互に排他的でもよい。通信ビームの第１のセット及び通信ビームの第２のセットの組み合わせは、通信ビームの全数を構成する。さらに、通信ビームの第１のセット及び通信ビームの第２のセットは、相互に排他的である。このアプローチは、その通信ビームの全数を使用して受信し、かつ通信ビームの全数のうちサブセットのみ使用して送信するＴＲＰが、ＴＲＰが通信ビームの全数を使用して送信している場合より、ＴＲＰにおいてより少数の電力増幅器（power  amplifiers、ＰＡ）を要するため、従前のアプローチを上回るいくつかの利点を有する。
【００６７】
図７Ａは、ＴＲＰと、ＴＲＰのための第１のバックホールモードを強調するカバレッジエリア７００とを示し、ＴＲＰはその通信ビームの全数を使用して受信する。通信ビームの全数を使用して受信することは、ＴＲＰがその最も近い隣接ＴＲＰのすべてから受信することを可能にする。
【００６８】
図７Ｂは、ＴＲＰと、ＴＲＰのための第２のバックホールモードを強調するカバレッジエリア７３０とを示し、ＴＲＰは通信ビームの第１のセットを使用して送信する。通信ビームの第１のセットを使用して送信することは、ＴＲＰがその最も近い隣接ＴＲＰの第１のサブセットに送信することを可能にする。図７Ｂに示されるように、通信ビームの第１のセットはＴＲＰの通信ビームの全数のうち半分を含み、ゆえに、ＴＲＰはその最も近い隣接ＴＲＰのうち約半分に送信することができる。
【００６９】
図７Ｃは、ＴＲＰと、ＴＲＰのための第３のバックホールモードを強調するカバレッジエリア７６０とを示し、ＴＲＰは通信ビームの第２のセットを使用して送信する。通信ビームの第２のセットを使用して送信することは、ＴＲＰがその最も近い隣接ＴＲＰの第２のサブセットに送信することを可能にする。通信ビームの第１のセット及び通信ビームの第２のセットは、相互に排他的である。図７Ｃに示されるように、通信ビームの第２のセットはＴＲＰの通信ビームの全数のうち半分を含み、ゆえに、ＴＲＰはその最も近い隣接ＴＲＰのうち半分に送信することができる。第１のセット及び第２のセットが相互に排他的であるため、第２のバックホールモード及び第３のバックホールモードの間、ＴＲＰはその最も近い隣接ＴＲＰのすべてに送信することができる。
【００７０】
図８Ａ〜８Ｃは、高周波数バックホールリンクを容易にするために、異なる第２の例示的なバックホールモードで動作するＴＲＰを強調する通信システムの一部の図を示す。任意の所与の期間内に、ＴＰＲのバックホールモードが、その隣接ＴＲＰに相対するＴＲＰの位置に基づいて決定されてもよい。スケジューリングアルゴリズムが、通信システムのＴＲＰのモードを決定するために使用されてもよい。図表８００（図８Ａ）は、第１の期間中のＴＲＰのバックホールモードを示す。第１の期間中、第１のＴＲＰ８０５が、第２のバックホールモードで動作する（通信ビームの第１のセットを使用して送信する）ように設定される。第１のＴＲＰ８０５の隣接ＴＲＰの第１のサブセット（タイプＡとラベル付けされている）、例えば、第２のＴＲＰ８０７、第３のＴＲＰ８０９、及び第４のＴＲＰ８１１が、第１のバックホールモードで動作する（その通信ビームの全数を使用して受信する）ように設定され、第１のＴＲＰ８０５の隣接ＴＲＰの第２のサブセット（タイプＢとラベル付けされている）、例えば、第５のＴＲＰ８１３、第６のＴＲＰ８１５、及び第７のＴＲＰ８１７は、第３のバックホールモードで動作する（通信ビームの第２のセットを使用して送信する）ように設定される。第１の期間中のＴＲＰのバックホールモードは、ＴＲＰの初期バックホールモードと呼ばれる。図８Ａに示されるＴＲＰの初期バックホールモードは、例示及び議論のために提示された例に過ぎないことが留意される。初期バックホールモードは、通信ビームが異なる場合、通信システムのトポロジが異なる場合、異なる実現方式選択が行われる場合、通信ビームの異なるセットの場合などで異なってもよい。図８Ａに示されるＴＲＰ間の関係が維持される限り、他の初期バックホールモードが可能である。
【００７１】
図表８３０（図８Ｂ）は、第２の期間中のＴＲＰのバックホールモードを示す。第２の期間中、第１のＴＲＰ８０５は、第３のバックホールモードで動作する（通信ビームの第２のセットを使用して送信する）ように設定され、一方、第１のＴＲＰ８０５の隣接ＴＰＲの第１のサブセット（タイプＡとラベル付けされている）、例えば、第２のＴＲＰ８０７、第３のＴＲＰ８０９、及び第４のＴＲＰ８１１は、第２のバックホールモードで動作する（通信ビームの第１のセットを使用して送信する）ように設定され、第１のＴＲＰ８０５の隣接ＴＲＰの第２のサブセット（タイプＢとラベル付けされている）、例えば、第５のＴＲＰ８１３、第６のＴＲＰ８１５、及び第７のＴＲＰ８１７は、第１のバックホールモードで動作する（その通信ビームの全数を使用して受信する）ように設定される。換言すると、各ＴＲＰは、次のバックホールモードに順次変化する。例として、ＴＲＰが第１の期間に第１のバックホールモードで動作していた場合、第２の期間にＴＲＰは第２のバックホールモードで動作する。同様に、ＴＲＰが第１の期間に第３のバックホールモードで動作していた場合、第２の期間にＴＲＰは第１のバックホールモードで動作する。異なるバックホールモードの一貫した繰り返しが、ＴＲＰが過度の干渉を引き起こすことなく通信することを可能にする。
【００７２】
図表８６０（図８Ｃ）は、第３の期間中のＴＲＰのバックホールモードを示す。第３の期間中、第１のＴＲＰ８０５は、第１のバックホールモードで動作する（その通信ビームの全数を使用して受信する）ように設定され、一方、第１のＴＲＰ８０５の隣接ＴＲＰの第１のサブセット（タイプＡとラベル付けされている）、例えば、第２のＴＲＰ８０７、第３のＴＲＰ８０９、及び第４のＴＲＰ８１１は、第３のバックホールモードで動作する（通信ビームの第２のセットを使用して送信する）ように設定され、第１のＴＲＰ８０５の隣接ＴＲＰの第２のサブセット（タイプＢとラベル付けされている）、例えば、第５のＴＲＰ８１３、第６のＴＲＰ８１５、及び第７のＴＲＰ８１７は、第２のバックホールモードで動作する（通信ビームの第１のセットを使用して送信する）ように設定される。
【００７３】
表２は、異なるＴＲＰタイプのための例示的なバックホールモードを示し、Ｄは下りリンク通信を表し、Ｕは上りリンク通信を表す。
【表２】
2019523580.tif 000004
【００７４】
例示的な実施例によれば、いくつかのＴＲＰタイプが、ＴＲＰタイプとその個々のビームフォーミング能力とに基づいて決定され割り当てられる異なるバックホールモードを有し、異なるＴＲＰタイプの少なくともいくつかが、バックホールモードの異なるセットを繰り返す。バックホールモードの異なるセットにつきモード数に差がある場合、より少ないモードを有するバックホールモードのセットを使用するＴＲＰは、これらがそのそれぞれのバックホールモードのセットを繰り返した後、バックホールモードの異なるセットを使用する他のＴＲＰがそのサイクルを完了することを許容するために、アイドルのままでもよい。バックホールモードの異なるセットがあるが、バックホールモードのセットに割り当てられたＴＲＰタイプのすべてのＴＲＰは、バックホールモードの同じセットを使用する。さらに、すべてのＴＲＰは、同じレートでバックホールモードを繰り返す。異なるＴＲＰについてのバックホールモードの異なるセットの使用は、クロス干渉のないＴＲＰ間の送信及び受信の協調を許容し、異なるビームフォーミング能力を有するＴＲＰのための高周波数バックホールリンクの実現方式をさらに可能にすることができる。例として、いくつかのＴＲＰが、そのそれぞれの通信ビームの全数においてより多数の通信ビームを有し、なぜならば、いくつかのＴＲＰが、これらが実行できる同時送信又は受信ビームの数に対して異なる制限を有するからである。
【００７５】
図９Ａ〜９Ｃは、第１のＴＲＰタイプ、例えば、タイプＡ  ＴＲＰのためのバックホールモードの第１のセットのバックホールモードの図を示す。タイプＡ  ＴＲＰは、すべての通信ビーム上で同時に送出及び／又は受信することができる。図表９００（図９Ａ）は、タイプＡ  ＴＲＰの第１のバックホールモードを示し、ＴＲＰはその通信ビームの全数を使用して送信する。図表９１０（図９Ｂ）は、タイプＡ  ＴＲＰの第２のバックホールモードを示し、タイプＡ  ＴＲＰはその通信ビームの全数を使用して受信する。図表９２０（図９Ｃ）は、タイプＡ  ＴＲＰの第３のバックホールモードを示し、タイプＡ  ＴＲＰはアイドルであり、その通信ビームのいずれにおいても送信も受信も実行しない。
【００７６】
図９Ｄ〜９Ｇは、第２及び第３のＴＲＰ  タイプ、例えば、タイプＢ及びＣ  ＴＲＰのためのバックホールモードの第２のセットのバックホールモードの図を示す。図表９３０（図９Ｄ）は、タイプＢ及びＣ  ＴＲＰの第１のバックホールモードを示し、ＴＲＰはその通信ビームの全数の第１のセットを使用して受信する。図表９４０（図９Ｅ）は、タイプＢ及びＣ  ＴＲＰの第２のバックホールモードを示し、ＴＲＰはその通信ビームの全数の第２のセットを使用して送信する。図表９５０（図９Ｆ）は、タイプＢ及びＣ  ＴＲＰの第３のバックホールモードを示し、ＴＲＰはその通信ビームの全数の第３のセットを使用して受信する。図表９６０（図９Ｇ）は、タイプＢ及びＣ  ＴＲＰの第４のバックホールモードを示し、ＴＲＰはその通信ビームの全数の第４のセットを使用して送信する。図９Ａ〜９Ｇに示されるバックホールノードのセットの構成及びＴＲＰタイプは単に例示目的のものであり、例示的な実施例の範囲又は主旨を限定することは意図されないことが留意される。
【００７７】
第１のセット及び第３のセットは相互に排他的であり、組み合わせられたとき通信ビームの全数の全体を含む。同様に、第２のセット及び第４のセットは相互に排他的であり、組み合わせられたとき通信ビームの全数の全体を含む。
【００７８】
図１０Ａ〜１０Ｄは、高周波数バックホールリンクを容易にするために、バックホールモードの異なる例示的なセットで動作するＴＲＰを強調する通信システムの一部の図を示す。任意の所与の期間内に、ＴＰＲのバックホールモードが、その隣接ＴＲＰに相対するＴＲＰの位置に基づいて決定されてもよい。例えば、スケジューリングアルゴリズムが、通信システムのＴＲＰのモードを決定するために使用されてもよい。バックホールモードはさらに、ＴＲＰの能力に基づいて決定されてもよい。図表１０００（図１０Ａ）は、第１の期間中のＴＲＰのバックホールモードを示す。第１の期間中、第１のＴＲＰ１００５（タイプＣの）が、バックホールモードの第２のセットの第３のバックホールモードで動作する（通信ビームの第２のセットを使用して受信する）ように設定される。第１のＴＲＰ１００５の隣接ＴＲＰの第１のサブセット（タイプＢ）、例えば、第２のＴＲＰ１００７、第３のＴＲＰ１００９、及び第４のＴＲＰ１０１１が、バックホールモードの第２のセットの第１のバックホールモードで動作する（通信ビームの第１のセットを使用して受信する）ように設定され、第１のＴＲＰ１００５の隣接ＴＲＰの第２のサブセット（タイプＡ  ＴＲＰ）、例えば、第５のＴＲＰ１０１３、第６のＴＲＰ１０１５、及び第７のＴＲＰ１０１７は、バックホールモードの第１のセットの第１のバックホールモードで動作する（その通信ビームの全数を使用して送信する）ように設定される。前に論じられたように、第１のＴＲＰ１００５の隣接ＴＲＰの第２のサブセット、タイプＡ  ＴＲＰは、その能力に起因してバックホールモードの異なるセットを割り当てられてもよく、これは、第１のＴＲＰ１００５の隣接ＴＲＰの第１のサブセット（タイプＢ  ＴＲＰ）の能力と異なってもよい。図１０Ａ〜１０Ｄに示されるバックホールノードのセットの構成及びＴＲＰタイプは単に例示目的のものであり、例示的な実施例の範囲又は主旨を限定することは意図されないことが留意される。
【００７９】
図表１０３０（図１０Ｂ）は、第２の期間中のＴＲＰのバックホールモードを示す。第２の期間中、第１のＴＲＰ１００５が、バックホールモードの第２のセットの第１のバックホールモードで動作する（通信ビームの第１のセットを使用して受信する）ように設定される。第１のＴＲＰ１００５の隣接ＴＲＰの第１のサブセット（タイプＢ  ＴＲＰ）、例えば、第２のＴＲＰ１００７、第３のＴＲＰ１００９、及び第４のＴＲＰ１０１１が、バックホールモードの第２のセットの第２のバックホールモードで動作する（通信ビームの第２のセットを使用して送信する）ように設定され、第１のＴＲＰ１００５の隣接ＴＲＰの第２のサブセット、例えば、第５のＴＲＰ１０１３、第６のＴＲＰ１０１５、及び第７のＴＲＰ１０１７は、バックホールモードの第１のセットの第３のバックホールモードで動作する（ＴＲＰはサイレントになり、送信せず受信しない）ように設定される。
【００８０】
図表１０５０（図１０Ｃ）は、第３の期間中のＴＲＰのバックホールモードを示す。第３の期間中、第１のＴＲＰ１００５（タイプＢ  ＴＲＰ）が、バックホールモードの第２のセットの第４のバックホールモードで動作する（通信ビームの第１のセットを使用して送信する）ように設定される。第１のＴＲＰ１００５の隣接ＴＲＰの第１のサブセット、例えば、第２のＴＲＰ１００７、第３のＴＲＰ１００９、及び第４のＴＲＰ１０１１が、バックホールモードの第２のセットの第３のバックホールモードで動作する（通信ビームの第２のセットを使用して受信する）ように設定され、第１のＴＲＰ１００５の隣接ＴＲＰの第２のサブセット、例えば、第５のＴＲＰ１０１３、第６のＴＲＰ１０１５、及び第７のＴＲＰ１０１７は、バックホールモードの第１のセットの第３のバックホールモードで動作する（ＴＲＰはサイレントになり、送信せず受信しない）ように設定される。
【００８１】
図表１０７０（図１０Ｄ）は、第４の期間中のＴＲＰのバックホールモードを示す。第４の期間中、第１のＴＲＰ１００５が、バックホールモードの第２のセットの第２のバックホールモードで動作する（通信ビームの第２のセットを使用して送信する）ように設定される。第１のＴＲＰ１００５の隣接ＴＲＰの第１のサブセット、例えば、第２のＴＲＰ１００７、第３のＴＲＰ１００９、及び第４のＴＲＰ１０１１が、バックホールモードの第２のセットの第４のバックホールモードで動作する（通信ビームの第１のセットを使用して送信する）ように設定され、第１のＴＲＰ１００５の隣接ＴＲＰの第２のサブセット、例えば、第５のＴＲＰ１０１３、第６のＴＲＰ１０１５、及び第７のＴＲＰ１０１７は、バックホールモードの第１のセットの第２のバックホールモードで動作する（その通信ビームの全数を使用して受信する）ように設定される。
【００８２】
表３は、異なるＴＲＰタイプのための例示的なバックホールモードを示し、Ｘは通信なしを表し、Ｄは下りリンク通信を表し、Ｕは上りリンク通信を表す。
【表３】
2019523580.tif 000005
【００８３】
前に論じられた例示的な実施例と同様に、サブフレームの時間順序づけは重要でなく、ＴＲＰのためのバックホールモードのみがその隣接ＴＲＰと同期される。サブフレームの異なる時間順序（例えば、１、４、２、及び３）が、ＴＲＰタイプＡがアクセスのためにサブフレーム２及び３を使用することを可能にしてもよく、なぜならば、ＴＲＰタイプＡについて、サブフレーム２及び３内にバックホールビームフォーミングが必要とされないからである。
【００８４】
例示的な実施例によれば、高周波数バックホールリンクに使用されるＴＤＤサブフレームは、アクセスに使用されるＴＤＤサブフレームを用いて（ＴＤＭＡを使用して）時間多重される。スペクトルがＦＤＭＡを使用して分けられるとしても、ＴＲＰにおける無線周波数（radio  frequency、ＲＦ）ビームフォーミングチェーンは、複雑さ及びコストを低減するために、高周波数バックホールリンクとアクセスとの間でタイムシェアされてもよい。例示的な実施例によれば、アクセスに使用されるＴＤＤサブフレームを用いて（ここで提示されるバックホールモードに関する例示的な実施例のいずれかに従って生成されるような）高周波数バックホールリンクに使用されるＴＤＤサブフレームを時間多重するために、アクセスに使用されるＴＤＤサブフレームの共通部分が使用される。表４は、３ＧＰＰ  ＬＴＥ‐ＡのためのＴＤＤフレーム構成を示す。「Ｓ」とラベル付けされたサブフレーム（サブフレーム１）は、すべてのＴＤＤフレーム構成に共通である。別の例示的な実施例によれば、高周波数バックホールリンクに使用されるＴＤＤサブフレームは、アクセスに使用されるＴＤＤサブフレームの間に挿入される。
【表４】
2019523580.tif 000006
【００８５】
例示的な実施例によれば、高周波数バックホールリンクサポートのためのＴＤＤサブフレームを搬送するためにアクセスに使用されるサブフレームの持続時間は、高周波数バックホールリンクサポートに使用されるＴＤＤサブフレームを収容するように拡張される。アクセスサブフレームを拡張することは、適切な帯域幅を提供するために必要とされ得る。図１１は、高周波数バックホールリンクサポートのためのＴＤＤサブフレームを搬送するために使用されるアクセスフレーム内の拡張サブフレームを有する例示的なフレーム構造１１００を示す。高周波数バックホールリンクのための少なくとも１つの完全な下りリンク及び上りリンクサブフレームを通信するために、これらバックホールサブフレームを搬送するために使用される拡張アクセスサブフレームは、バックホールモードにつき少なくとも１つのサブフレームを搬送できなければならない。ゆえに、図５Ａ〜５Ｃ乃至図８Ａ〜８Ｃに示される例示的な実施例をサポートするために、少なくとも３つのサブフレームをサポートするための拡張が必要とされ、一方、図９Ａ〜９Ｇ及び１０Ａ〜１０Ｄに示される例示的な実施例をサポートするために、少なくとも４つのサブフレームをサポートするための拡張が必要とされる。拡張は、さらなる高周波数バックホールリンク情報をサポートするために、サブフレームの最小数より大きくなり得ることが留意される。さらに、バックホールサブフレームのＴＤＤフレームフォーマット及び拡張サブフレームの持続時間は、ＴＲＰ間の異なる方向における動的に変化するデータレートをサポートするために、動的に変化してもよい。代替的に、高周波数バックホールリンクのための１つの完全な下りリンク又は上りリンクＴＤＤサブフレームがサポートされてもよい。しかしながら、完全な高周波数バックホールリンク情報は、その全体を伝達されなくてもよい。
【００８６】
ＴＲＰ間の高周波数バックホールリンクは、アクセスに使用される可変の通信ビーム方向とは対照的に（ＴＲＰが一般に固定的であるため）固定の通信ビーム方向を使用するため、高周波数バックホールリンクに使用される通信ビームのビーム幅は、アクセスに使用されるものより実質的に狭くなり得、それにより、より高い信号対雑音比（signal  to  noise  ratios、ＳＮＲ）を結果としてもたらし、これはひいては、アクセスについて（例えば、１６ＱＡＭ）よりも高周波数バックホールリンクについて（例えば、２５６ＱＡＭ）、より高いレベルの変調方式の使用を容易にすることが留意される。さらに、ＴＲＰが一般に固定的であるため、より低いサウンディングオーバーヘッドが、アクセスについてよりも高周波数バックホールリンクについて必要とされる。ゆえに、サブフレームごとに、高周波数バックホールリンクは、２乃至２．５倍のより高速なオーダで、アクセスリンクよりかなり高いデータレートを達成することができる。より大きいデータレートは、ＴＲＰが多くの下りリンクサブフレーム（downlink、Ｄ）（例えば、フレームフォーマット５）又は上りリンクサブフレーム（uplink、Ｕ）（例えば、フレームフォーマット０）を有するアクセスのためのＴＤＤフレーム構成を選択したとしても、かなりより少ないサブフレームが、各フレーム内のすべてのＵＥデータについて高周波数バックホールリンクをサポートするために必要とされることを意味する。図１２は、フレームフォーマット０及びフレームフォーマット５を強調する３ＧＰＰ  ＬＴＥ‐ＡのためのＴＤＤフレーム構成１２００を示す。図１２に示されるように、フレームフォーマット０は、Ｄサブフレームより多くのＵサブフレームを有し（６Ｕ対２Ｄ）、一方、フレームフォーマット５は、Ｕサブフレームより多くのＤサブフレームを有する（８Ｄ対１Ｕ）。こうしたサブフレーム不均衡を用いても、高周波数バックホールリンクにおいて達成可能なより高いデータレートは、アクセスリンクにおいてサポートされるデータレートをサポートするために、より少ない高周波数バックホールリンクサブフレームの要件を結果としてもたらす。
【００８７】
アクセスリンク及び高周波数バックホールリンクが異なる周波数（例えば、図３Ａに示される構成）で動作する通信システムにおいて、異なるリンクのヌメロロジにおける差（すなわち、アクセスリンクのための３ＧＨｚにおける３ＧＰＰ  ＬＴＥと高周波数バックホールリンクのための３０ＧＨｚにおけるミリ波とは、１０倍のオーダのサブフレーム持続時間差を結果としてもたらし得る）と、動作周波数における差とは、２つのフレーム構造が全体に独立であり得ることを意味し得る。実現方式を簡素化するために２つの異なるフレーム構造間のタイミングを一貫させ、アクセスリンクのためのユーザデータを適時に高周波数バックホールリンクを用いて利用可能にすることは有利であり得る。例として、高周波数バックホールリンクのためのサブフレームは、ユーザデータがそれが必要とされる前にＴＲＰ間で転送されることを確保するために十分な周波数で生じるべきである。
【００８８】
図１３は、高周波数バックホールリンクをサポートするための例示的なＴＤＤフレームフォーマット１３００を示す。図１３は、Ｓサブフレーム１３０５の詳細ビューを提供し、これは、アクセスフレーム１３１０の下りリンクパイロット時間スロット（downlink  pilot  time  slot、ＤｗＰＴＳ）、ＧＰ、及び上りリンクパイロット時間スロット（uplink  pilot  time  slot、ＵｐＰＴＳ）を含む。図１３は、高周波数バックホールリンクのためのフレーム１３１５をさらに表す。様々な異なるＴＤＤフレームフォーマットが利用可能であり、各ＴＲＰ接続は、そのそれぞれのデータレート要件を満たすために、異なるサブフレーム期間を使用することができる。さらに、高速バックホールリンクのフレームの正確なタイミング位置は柔軟である。しかしながら、タイミングにおける一貫性が実現方式をより簡素にし得る。
【００８９】
一貫した形状（６角形）及び一貫したサイズ（すべてのＴＲＰが同じサイズのカバレッジエリアを有する）を有するカバレッジエリアが、異なる通信ビーム多重技術の一般原理を提示するために使用された。しかしながら、実世界の展開において、ＴＲＰのカバレッジエリアはすべて同じ形状及び／又はサイズではない。一般に、各ＴＲＰのカバレッジエリアは、地形及び伝搬条件に依存しているいくらか任意の形状及びサイズを有する。さらに、各ＴＲＰは、正確に６つの隣接ＴＲＰを有さなくてもよい。
【００９０】
図１４は、一般化された通信システム１４００を示す。通信システム１４００は、関連づけられたカバレッジエリア１４１０を有するＴＲＰ  Ｘ１４０５を含む。カバレッジエリア１４１０の形状は、地形（例えば、信号をブロックする大きい構造物又は地理的特徴、クリアな信号伝播を可能にするオープンスペースなど）及び伝搬条件に依存してもよい。ＴＲＰ  Ｘ１４０５は、Ｙｘ個の隣接ＴＲＰを有する。隣接ＴＲＰの数は、通信システム１４００に関するＴＲＰ  Ｘ１４０５の場所（例えば、システム中央、システム端など）、ユーザの密度、干渉の有ること又は無いことなどに依存する。
【００９１】
例示的な実施例によれば、一般化された通信システムにおいて、各ＴＲＰは、高周波数バックホールリンク上で通信するための整数個のバックホール動作モードを有する。各々のバックホール動作モード内で、ＴＲＰは、下りリンク及び上りリンクの双方でなく、下りリンク送信又は上りリンク受信を実行する。バックホール動作モード間に、ＴＲＰは、例えば下りリンクから上りリンクに、又は上りリンクから下りリンクに通信モードを切り替えるか、あるいは、例えば下りリンクから下りリンクに、又は上りリンクから上りリンクに、同じ通信モードにとどまるかのいずれかを行うことができる。あらゆるＴＲＰが同じバックホール動作モードを使用するが、異なるＴＲＰタイプが所与の期間に異なるバックホールモードを実行する。バックホールモードの割り当てはＴＲＰタイプに基づいて行われ、ＴＲＰタイプは、例えば、スケジューリングアルゴリズムを使用して割り当てられてもよい。ＴＲＰは、バックホールモードを順次繰り返す。
【００９２】
例示的な実施例によれば、一般化された通信システムにおいて、各ＴＲＰは、高周波数バックホールリンク上で通信するための３つのバックホール動作モードを有する。第１のバックホールモードにおいて、ＴＲＰは、その通信ビームの全数を使用して、その隣接ＴＲＰのすべてと通信する（送出し、あるいは受信する）。第２のバックホールモードにおいて、ＴＲＰは、その通信ビームの第１のセットを使用して、その隣接ＴＲＰの第１のセットと通信し（受信し、あるいは送出し）、第３のバックホールモードにおいて、ＴＲＰは、その通信ビームの第２のセットを使用して、その隣接ＴＲＰと通信する（受信し、あるいは送出する）。第２及び第３のバックホールモードは、これらが隣接ＴＲＰの一部との通信を伴うため、部分モードと呼ばれてもよい。通信ビームの第１のセット及び通信ビームの第２のセットの組み合わせは、通信ビームの全数を構成する。さらに、通信ビームの第１のセット及び通信ビームの第２のセットは、相互に排他的でもよい。２つより多くの部分モードを有する３つより多くのバックホールモードがあり得ることが留意される。しかしながら、２つより多くの部分モードは、組み合わせられたとき隣接ＴＲＰのすべてをカバーする。
【００９３】
例示的な実施例によれば、一般化された通信システムにおいて、第１のバックホールモードは、ＴＲＰ  Ｘがその通信ビームの全数を使用して、その隣接ＴＲＰのすべてに送信することを含み、第２のバックホールモードは、ＴＲＰ  Ｘが通信ビームの第１のセット上で、その隣接ＴＲＰの第１のセットから受信することを含み、第３のバックホールモードは、ＴＲＰ  Ｘが通信ビームの第２のセット上で、その隣接ＴＲＰの第２のセットから受信することを含む。隣接ＴＲＰの第１のセット及び第２のセットは、ＴＲＰ  Ｘの隣接ＴＲＰのすべてを構成し、相互に排他的でもよい。隣接ＴＲＰの第１のセット及び第２のセットは、例えば、奇数個の隣接ＴＲＰがある場合、サイズにおいて等しくなくてもよい。通信ビームの第１のセット及び第２のセットは、ＴＲＰ  Ｘの通信ビームの全数を構成し、相互に排他的でもよい。ＴＲＰの割り当ては、実際に静的、半静的、又は動的でもよい。要求される、対応するサブフレーム数は、実際の展開に依存してもよい。
【００９４】
例示的な実施例によれば、一般化された通信システムにおいて、第１のバックホールモードは、ＴＲＰ  Ｘがその通信ビームの全数を使用して、その隣接ＴＲＰのすべてから受信することを含み、第２のバックホールモードは、ＴＲＰ  Ｘが通信ビームの第１のセット上で、その隣接ＴＲＰの第１のセットに送信することを含み、第３のバックホールモードは、ＴＲＰ  Ｘが通信ビームの第２のセット上で、その隣接ＴＲＰの第２のセットに送信することを含む。隣接ＴＲＰの第１のセット及び第２のセットは、ＴＲＰ  Ｘの隣接ＴＲＰのすべてを構成し、相互に排他的でもよい。隣接ＴＲＰの第１のセット及び第２のセットは、例えば、奇数個の隣接ＴＲＰがある場合、又は隣接ＴＲＰが均等に分散されていない場合、サイズにおいて等しくなくてもよい。通信ビームの第１のセット及び第２のセットは、ＴＲＰ  Ｘの通信ビームの全数を構成し、相互に排他的でもよい。
【００９５】
例示的な実施例によれば、一般化された通信システムにおいて、いくつかのＴＲＰタイプが、ＴＲＰタイプとその個々のビームフォーミング能力とに基づいて決定され割り当てられる異なるバックホールモードを有し、異なるＴＲＰタイプの少なくともいくつかが、バックホールモードの異なるセットを繰り返す。バックホールモードの異なるセットにつきモード数に差がある場合、より少ないモードを有するバックホールモードのセットを使用するＴＲＰは、これらがそのそれぞれのバックホールモードのセットを繰り返した後、バックホールモードの異なるセットを使用する他のＴＲＰがそのサイクルを完了することを許容するために、アイドルのままでもよい。バックホールモードの異なるセットがあるが、バックホールモードのセットに割り当てられたＴＲＰタイプのすべてのＴＲＰは、バックホールモードの同じセットを使用する。さらに、すべてのＴＲＰは、同じレートでバックホールモードを繰り返す。バックホールモードの異なるセットの使用は、異なるビームフォーミング能力を有するＴＲＰのための高周波数バックホールリンクの実現方式を許容する。いくつかのＴＲＰが、そのそれぞれの通信ビームの全数においてより多数の通信ビームを有する。別の例として、いくつかのＴＲＰが、これらが実行できる同時送信又は受信の数に対して異なる制限を有する。
【００９６】
例示的な実施例によれば、一般化された通信システムにおいて、ＴＲＰの第１のタイプが、３つのバックホールモードのセットを割り当てられ、ＴＲＰの１つより多くの第２のタイプが、４つのバックホールモードのセットを割り当てられる。３つのバックホールモードのセットは、ＴＲＰがその通信ビームの全数を使用して、その隣接ＴＲＰのすべてに送信する第１のバックホールモードと、ＴＲＰがその通信ビームの全数を使用して、その隣接ＴＲＰのすべてから受信する第２のバックホールモードと、ＴＲＰがアイドルにとどまる第３のバックホールモードとを含んでもよい。４つのバックホールモードのセットは、ＴＲＰが通信ビームの第１のセットを使用して隣接ＴＲＰの第１のセットに送信する第１のバックホールモードと、ＴＲＰが通信ビームの第１のセットを使用して隣接ＴＲＰの第１のセットから受信する第２のバックホールモードと、ＴＲＰが通信ビームの第２のセットに送信する第３のバックホールモードと、ＴＲＰが通信ビームの第２のセットを使用して隣接ＴＲＰの第２のセットから受信する第４のバックホールモードとを含んでもよい。いくつかの実現方式がより多数の部分モードを含んでもよいことが留意される。
【００９７】
ＴＤＤバックホールフレームの各サブフレームについて、どのＴＲＰがどのバックホールモードにあるかの割り当ては、展開と、隣接ＴＲＰが如何に空間内に位置するかとに依存してもよい。６角形通信システムにおける通常の展開での例が上記で論じられている。各ＴＲＰのためのバックホールモード対サブフレームマッピングは、ＴＤＤバックホールフレーム構成の一部として実行されてもよい。
【００９８】
マッピングは、静的に、ネットワークプランニングの間、実行されてもよい。各ＴＲＰは、それぞれのバックホールモードを有するＴＲＰ固有のＴＤＤバックホールフレーム構成を割り当てられてもよい。構成は、記憶され、後にメモリ又はデータベースから取り出されてもよい。
【００９９】
マッピングは、半静的に実行されてもよい。新たに展開されたＴＲＰが、その隣接ＴＲＰのすべてとそのそれぞれの識別子とを発見するために、ビームスイープを実行してもよい。新たに展開されたＴＲＰは、ＴＤＤバックホールフレーム構成エンティティにレポートしてもよく、レポートは、隣接リストレポーティングと呼ばれる、隣接ＴＲＰの識別子（及び、任意選択で、隣接ＴＲＰの各々に関連づけられた新たに展開されたＴＲＰのビームインデックス、例えば、ビーム方向）と、ＴＲＰ能力レポーティングと呼ばれる、新たに展開されたＴＲＰのビームフォーミング能力とを含んでもよい。新たに展開されたＴＲＰは、ＴＤＤバックホールフレーム構成エンティティから、関連づけられたバックホールモードを有するＴＲＰ固有のＴＤＤバックホールフレーム構成を受信する。ＴＤＤバックホールフレーム構成エンティティは、構成に対して専用にされたネットワークエンティティでもよく、あるいは、それは、既存のネットワークエンティティと併置されてもよい。
【０１００】
マッピングは、動的に（すなわち、半静的より大きい周波数で）実行されてもよい。ネットワーク制御エンティティが、各ＴＲＰに、そのＴＲＰ固有のＴＤＤバックホールフレーム構造を動的に知らせてもよい。ネットワーク制御エンティティにより提供される情報は、各ＴＲＰについてアクセスのために選択されたＴＤＤフレームに基づいてもよく、かつ／あるいは、更新された隣接リストが各ＴＲＰからレポートし、これは、ＴＲＰが特別なイベント（コンサート、スポーツ、集会等）のためにオン又はオフにされる、負荷に起因してオン又はオフにされるとき、あるいはＴＲＰが非固定的（例えば、車両、バス、列車等）であるとき、有用であり得る。
【０１０１】
ＴＤＤバックホールフレーム構造を各ＴＲＰに半静的又は動的に割り当てるためのネットワーク制御エンティティと各ＴＲＰとの間の通信は、専用のＴＲＰ対ネットワーク制御エンティティ接続（有線又は無線のいずれかでよい）を通じて生じてもよい。この接続は、ミリ波バックホールが通常のＸ２インターフェースを補足するために使用されるとき、実現するのに簡素であり得る。低いデータレートのみが接続に必要とされることが留意される。
【０１０２】
図１５は、ＴＲＰがＴＤＤバックホールフレーム構成を取得するための例示的な方法１５００を示す。ＴＲＰ  Ｘ１５０５が、メモリ１５１０、ネットワークエンティティ１５１５から、又は（マスタＴＲＰなどの）隣接ＴＲＰ１５２０からＴＤＤバックホールフレーム構成を取得することができる。
【０１０３】
例示的な例として、ＴＤＤバックホールフレーム構成のパラメータは、以下のうち少なくとも１つを含む：
‐  ＴＤＤフレームフォーマットインデックス：このオプションは、利用可能なフォーマットの固定のセット（すなわち、２、４、８、１２、１６など）を仮定し、かなり低いオーバヘッドをもたらす
‐  代替的に、フレーム長（例えば、サブフレームにおける）が、ＴＤＤバックホールフレーム内の各サブフレームについて、各アクセスフレーム及びモード（１、２、３など）又はサブフレームタイプ（下りリンク‐全、上りリンク‐全、下りリンク‐部分、上りリンク‐部分など）について規定されてもよい
‐  全サブフレームのためのＴＲＰのインデックス（又は、角度方向）
‐  別個の部分サブフレーム又はモードのためのＴＲＰのインデックス（又は、方向）
【０１０４】
図１６Ａ及び１６Ｂは、都市エリアの例示的な展開を示す。図１６Ａは、ここで参照により援用されるA.  Goldsmithらの「A  Measurement-based  Model  for  Predicting  Coverage  Areas  of  Urban  Microcells」、IEEE  Journal  on  Sel.  Areas  in  Communications、Vol.  11、No.  7、1993年9月、pp.  1013-11023で提示されており、長方形の都市展開の信号パワーレベルを示す。図１６Ｂは、ここで参照により援用される3GPP  RAN  1  WG  1  Meeting  #84  -  R1  160924、「Diamond  Shaped  Cell  Layouts  for  Above  6  GHz  Channel  Modeling」で提示されており、９つのサイトを有するダイヤモンド形状の都市展開を示す。
【０１０５】
図１７は、バックホールモード対ＴＤＤバックホールサブフレームマッピングを実行するネットワークエンティティで生じる例示的な動作１７００のフロー図を示す。動作１７００は、ネットワークエンティティがバックホールモード対ＴＤＤバックホールサブフレームマッピングを実行するとき、ＴＤＤフレーム構成エンティティ又はネットワーク制御エンティティなどのネットワークエンティティで生じる動作を示し得る。
【０１０６】
動作１７００は、ネットワークエンティティがＴＲＰから隣接リスト及びＴＲＰ能力レポートを受信すること（ブロック１７０５）で開始する。隣接リスト及びＴＲＰ能力レポートは、通信システムのすべてのＴＲＰから受信されてもよい。代替的に、隣接リスト及びＴＲＰ能力レポートは、新たに展開されたＴＲＰ、又は構成を変更したＴＲＰから受信される。例として、ＴＲＰが、その隣接ＴＲＰが変化したと決定したとき、ＴＲＰは、隣接リスト及び／又はＴＲＰ能力レポートを送出する。別の例として、ＴＲＰの能力が変化したとき、ＴＲＰは、ＴＲＰ能力レポート及び／又は隣接リストを送出する。代替的に、ネットワークエンティティが、ネットワークプランニングの間、ＴＲＰに関する情報を受信する。ネットワークエンティティは、ＴＲＰタイプをＴＲＰに割り当てる（ブロック１７１０）。ＴＲＰタイプの割り当ては、通信システムのトポロジに基づいてスケジューリングアルゴリズムを使用して実行されてもよい。代替的に、ＴＲＰタイプの割り当ては、ＴＲＰ能力をさらに考慮するスケジューリングアルゴリズムを使用して実行されてもよい。ネットワークエンティティは、割り当てられたＴＲＰタイプに従ってバックホールモードをＴＲＰに割り当てる（ブロック１７１５）。ネットワークエンティティは、割り当てられたＴＲＰタイプに従ってＴＤＤバックホールフレーム構成をＴＲＰに割り当てる（ブロック１７２０）。ネットワークエンティティは、ＴＤＤバックホールフレーム構成及びバックホールモードを保存する（ブロック１７２５）。ＴＤＤバックホールフレーム構成及びバックホールモードは、メモリ又はデータベースに保存されてもよい。代替的に、ＴＤＤバックホールフレーム構成及びバックホールモードは、ＴＲＰに直接提供されてもよい。
【０１０７】
図１８は、高周波数バックホールリンクを使用するＴＲＰ通信で生じる例示的な動作１８００のフロー図を示す。動作１８００は、高周波数バックホールリンクを使用して通信するＴＲＰで生じる動作を示し得る。
【０１０８】
動作１８００は、ＴＲＰがＴＤＤバックホールフレーム構成及びバックホールモードを決定すること（ブロック１８０５）で開始する。ＴＤＤバックホールフレーム構成及びバックホールモードは、メモリ又はデータベースから取り出され、ネットワークエンティティ又は（マスタＴＲＰなどの）隣接ＴＲＰから取り出されてもよい。代替的に、バックホールフレーム構成及びバックホールモードは、割り当てを行ったネットワークエンティティから受信されるメッセージにおいて直接命令されてもよい。ある期間中、ＴＲＰは、期間に対応するバックホールモードに相応しい方式で高周波数バックホールを使用して通信する（ブロック１８１０）。ＴＲＰは、期間が終了かを決定するためにチェックを実行する（ブロック１８１５）。期間が終了でない場合、ＴＲＰは、ブロック１８１０におけるとおり通信を継続する。期間が終了である場合、ＴＲＰは次の期間に切り替え（ブロック１８２０）、ブロック１８１０に戻り、次の期間に対応するバックホールモードに従って通信する。
【０１０９】
図１９は、ここで説明される方法を実行する例示的な処理システム１９００のブロック図を示し、これは、ホストデバイスに設置されてもよい。図示されるように、処理システム１９００は、プロセッサ１９０４、メモリ１９０６、及びインターフェース１９１０〜１９１４を含み、これらは、図１９に示されるとおり配置されても（あるいは、そうでなくても）よい。プロセッサ１９０４は、計算及び／又は他の処理関連タスクを実行するように適合された任意のコンポーネント又はコンポーネントの集合でもよく、メモリ１９０６は、プロセッサ１９０４により実行されるプログラミング及び／又は命令を記憶するように適合された任意のコンポーネント又はコンポーネントの集合でもよい。実施例において、メモリ１９０６は、非一時的コンピュータ読取可能媒体を含む。インターフェース１９１０、１９１２、１９１４は、処理システム１９００が他のデバイス／コンポーネント及び／又はユーザと通信することを可能にする任意のコンポーネント又はコンポーネントの集合でもよい。例えば、インターフェース１９１０、１９１２、１９１４の１つ以上が、プロセッサ１９０４からホストデバイス及び／又はリモートデバイスにインストールされたアプリケーションへのデータ、制御、又は管理メッセージを通信するように適合されてもよい。別の例として、インターフェース１９１０、１９１２、１９１４の１つ以上が、ユーザ又はユーザデバイス（例えば、パーソナルコンピュータ（personal  computer、ＰＣ）等）が処理システム１９００と対話する／通信することを可能にするように適合されてもよい。処理システム１９００は、長期記憶（例えば、不揮発メモリ等）などの、図１９に表されていないさらなるコンポーネントを含んでもよい。
【０１１０】
いくつかの実施例において、処理システム１９００は、電気通信ネットワークにアクセスしているか又はその他の方法でその一部であるネットワークデバイスに含まれる。一例において、処理システム１９００は、基地局、中継局、スケジューラ、コントローラ、ゲートウェイ、ルータ、アプリケーションサーバ、又は電気通信ネットワーク内の任意の他のデバイスなどの、無線又は有線電気通信ネットワーク内のネットワーク側デバイス内にある。他の実施例において、処理システム１９００は、移動局、ユーザ装置（ＵＥ）、パーソナルコンピュータ（ＰＣ）、タブレット、ウェアラブル通信デバイス（例えば、スマートウォッチ等）、又は電気通信ネットワークにアクセスするように適合された任意の他のデバイスなどの、無線又は有線電気通信ネットワークにアクセスするユーザ側デバイス内にある。
【０１１１】
いくつかの実施例において、インターフェース１９１０、１９１２、１９１４の１つ以上は、処理システム１９００を、電気通信ネットワークを通じてシグナリングを送信及び受信するように適合された送受信機に接続する。図２０は、電気通信ネットワークを通じてシグナリングを送信及び受信するように適合された送受信機２０００のブロック図を示す。送受信機２０００は、ホストデバイスに設置されてもよい。図示されるように、送受信機２０００は、ネットワーク側インターフェース２００２、カプラ２００４、送信機２００６、受信機２００８、信号プロセッサ２０１０、及びデバイス側インターフェース２０１２を含む。ネットワーク側インターフェース２００２は、無線又は有線電気通信ネットワークを通じてシグナリングを送信又は受信するように適合された任意のコンポーネント又はコンポーネントの集合を含んでもよい。カプラ２００４は、ネットワーク側インターフェース２００２を通じての双方向通信を容易にするように適合された任意のコンポーネント又はコンポーネントの集合を含んでもよい。送信機２００６は、ベースバンド信号をネットワーク側インターフェース２００２を通じての送信に適した変調キャリア信号に変換するように適合された任意のコンポーネント又はコンポーネントの集合（例えば、アップコンバータ、パワー増幅器等）を含んでもよい。受信機２００８は、ネットワーク側インターフェース２００２を通じて受信されたキャリア信号をベースバンド信号に変換するように適合された任意のコンポーネント又はコンポーネントの集合（例えば、ダウンコンバータ、低雑音増幅器等）を含んでもよい。信号プロセッサ２０１０は、ベースバンド信号をデバイス側インターフェース２０１２を通じての通信に適したデータ信号に変換し、あるいは逆もまた同様に行うように適合された任意のコンポーネント又はコンポーネントの集合を含んでもよい。デバイス側インターフェース２０１２は、信号プロセッサ２０１０とホストデバイス内のコンポーネント（例えば、処理システム１９００、ローカルエリアネットワーク（local  area  network、ＬＡＮ）ポート等）との間のデータ信号を通信するように適合された任意のコンポーネント又はコンポーネントの集合を含んでもよい。
【０１１２】
送受信機２０００は、任意のタイプの通信媒体を通じてシグナリングを送信し、受信してもよい。いくつかの実施例において、送受信機２０００は、無線媒体を通じてシグナリングを送信し、受信する。例えば、送受信機２０００は、セルラープロトコル（例えば、ロングタームエボリューション（long-term  evolution、ＬＴＥ）等）、無線ローカルエリアネットワーク（wireless  local  area  network、ＷＬＡＮ）プロトコル（例えば、Ｗｉ‐Ｆｉ等）、又は任意の他タイプの無線プロトコル（例えば、Ｂｌｕｅｔｏｏｔｈ、近距離通信（near  field  communication、ＮＦＣ）等）などの無線電気通信プロトコルに従って通信するように適合された無線送受信機でもよい。こうした実施例において、ネットワーク側インターフェース２００２は、１つ以上のアンテナ／放射素子を含む。例えば、ネットワーク側インターフェース２００２は、単一のアンテナ、複数の別個のアンテナ、又はマルチレイヤ通信、例えば、シングルインプットマルチプルアウトプット（single  input  multiple  output、ＳＩＭＯ）、マルチプルインプットシングルアウトプット（multiple  input  single  output、ＭＩＳＯ）、マルチプルインプットマルチプルアウトプット（multiple  input  multiple  output、ＭＩＭＯ）等のために構成されたマルチアンテナアレイを含んでもよい。他の実施例において、送受信機２０００は、有線媒体、例えば、ツイストペアケーブル、同軸ケーブル、光ファイバ等を通じてシグナリングを送信し、受信する。特定の処理システム及び／又は送受信機が、図示されるコンポーネントのすべて、又はコンポーネントのサブセットのみを利用してもよく、統合のレベルはデバイスごとに変化してもよい。
【０１１３】
本開示及びその利点が詳細に説明されたが、様々な変更、代替、及び改変が別記の特許請求の範囲により定義されるとおり開示の主旨及び範囲から逸脱することなくここでなされ得ることが理解されるべきである。
【図１】
2019523580.tif 000007
【図２Ａ】
2019523580.tif 000008
【図２Ｂ】
2019523580.tif 000009
【図２Ｃ】
2019523580.tif 000010
【図３Ａ】
2019523580.tif 000011
【図３Ｂ】
2019523580.tif 000012
【図４Ａ】
2019523580.tif 000013
【図４Ｂ】
2019523580.tif 000014
【図５Ａ】
2019523580.tif 000015
【図５Ｂ】
2019523580.tif 000016
【図５Ｃ】
2019523580.tif 000017
【図６Ａ】
2019523580.tif 000018
【図６Ｂ】
2019523580.tif 000019
【図６Ｃ】
2019523580.tif 000020
【図７Ａ】
2019523580.tif 000021
【図７Ｂ】
2019523580.tif 000022
【図７Ｃ】
2019523580.tif 000023
【図８Ａ】
2019523580.tif 000024
【図８Ｂ】
2019523580.tif 000025
【図８Ｃ】
2019523580.tif 000026
【図９Ａ】
2019523580.tif 000027
【図９Ｂ】
2019523580.tif 000028
【図９Ｃ】
2019523580.tif 000029
【図９Ｄ】
2019523580.tif 000030
【図９Ｅ】
2019523580.tif 000031
【図９Ｆ】
2019523580.tif 000032
【図９Ｇ】
2019523580.tif 000033
【図１０Ａ】
2019523580.tif 000034
【図１０Ｂ】
2019523580.tif 000035
【図１０Ｃ】
2019523580.tif 000036
【図１０Ｄ】
2019523580.tif 000037
【図１１】
2019523580.tif 000038
【図１２】
2019523580.tif 000039
【図１３】
2019523580.tif 000040
【図１４】
2019523580.tif 000041
【図１５】
2019523580.tif 000042
【図１６Ａ】
2019523580.tif 000043
【図１６Ｂ】
2019523580.tif 000044
【図１７】
2019523580.tif 000045
【図１８】
2019523580.tif 000046
【図１９】
2019523580.tif 000047
【図２０】
2019523580.tif 000048
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
送受信ポイント（ＴＲＰ）を動作させる方法であって、
前記ＴＲＰにより、前記ＴＲＰのためのバックホール通信モードの第１のサイクルを決定するステップであり、前記第１のサイクルの各バックホール通信モードは、異なる期間に関連づけられ、関連づけられた期間中に前記ＴＲＰに利用可能な通信ビームのサブセットを使用して送信又は受信のいずれかを行うように前記ＴＲＰを促し、各々の関連づけられた期間に前記ＴＲＰと前記ＴＲＰの隣接ＴＲＰとにより使用される前記通信ビームは、相互干渉を防止するように選択され、前記第１のサイクルの少なくとも１つのバックホール通信モードは、前記ＴＲＰに利用可能な前記通信ビームのすべてを使用して送信又は受信のいずれかを行うように前記ＴＲＰを促す、ステップと、
前記ＴＲＰにより、前記第１のサイクルに従って前記ＴＲＰのためのバックホールフレーム構成を決定するステップであり、前記バックホールフレーム構成は、バックホール通信に使用されるフレームのサブフレームの配置を規定する、ステップと、
前記ＴＲＰにより、前記第１のサイクル及び前記バックホールフレーム構成に従って前記ＴＲＰの隣接ＴＲＰと通信するステップと、
を含む方法。
【請求項２】
前記第１のサイクルを決定するステップは、メモリから前記第１のサイクルを取り出すステップ、データベースから前記第１のサイクルを取り出すステップ、ネットワークエンティティからメッセージにおいて前記第１のサイクルを受信するステップ、又は隣接ＴＲＰから前記第１のサイクルを受信するステップ、のうち１つを含む、請求項１に記載の方法。
【請求項３】
前記バックホールフレーム構成を決定するステップは、メモリから前記バックホールフレーム構成を取り出すステップ、データベースから前記バックホールフレーム構成を取り出すステップ、ネットワークエンティティからメッセージにおいて前記バックホールフレーム構成を受信するステップ、又は隣接ＴＲＰから前記バックホールフレーム構成を受信するステップ、のうち１つを含む、請求項１に記載の方法。
【請求項４】
前記第１のサイクルは、前記ＴＲＰに利用可能なすべての通信ビームを使用して前記隣接ＴＲＰのすべてに送信するように前記ＴＲＰを規定する第１のバックホールモードと、前記ＴＲＰに利用可能なすべての通信ビームの第１のサブセットを使用して前記隣接ＴＲＰの第１のサブセットから受信するように前記ＴＲＰを規定する第２のバックホールモードと、前記ＴＲＰに利用可能なすべての通信ビームの第２のサブセットを使用して前記隣接ＴＲＰの第２のサブセットから受信するように前記ＴＲＰを規定する第３のバックホールモードとを含み、前記隣接ＴＲＰの前記第１のサブセット及び前記第２のサブセットの組み合わせは、前記隣接ＴＲＰのすべてを含む、請求項１に記載の方法。
【請求項５】
前記第１のサイクルは、前記ＴＲＰに利用可能なすべての通信ビームを使用して前記隣接ＴＲＰのすべてから受信するように前記ＴＲＰを規定する第４のバックホールモードと、前記ＴＲＰに利用可能なすべての通信ビームの第３のサブセットを使用して前記隣接ＴＲＰの第３のサブセットに送信するように前記ＴＲＰを規定する第５のバックホールモードと、前記ＴＲＰに利用可能なすべての通信ビームの第４のサブセットを使用して前記隣接ＴＲＰの第４のサブセットに送信するように前記ＴＲＰを規定する第６のバックホールモードとを含み、前記隣接ＴＲＰの前記第３のサブセット及び前記第４のサブセットの組み合わせは、前記隣接ＴＲＰのすべてを含む、請求項１に記載の方法。
【請求項６】
バックホール通信モードの複数のサイクルがあり、各サイクルの各バックホール通信モードは、関連づけられた期間中に関連づけられたＴＲＰに利用可能な通信ビームのサブセットを使用して送信又は受信のいずれかを行うように前記関連づけられたＴＲＰを規定し、各ＴＲＰタイプはバックホールモードの１つのセットを割り当てられる、請求項１に記載の方法。
【請求項７】
前記サイクルは、異なる数のバックホール通信モードを有し、前記ＴＲＰに割り当てられた前記第１のサイクルは、バックホールモードの第２のセットより少ないバックホールモードを有し、当該方法は、少なくとも１つの期間にアイドルのままであるステップをさらに含む、請求項６に記載の方法。
【請求項８】
ネットワークエンティティを動作させる方法であって、
前記ネットワークエンティティにより、送受信ポイント（ＴＲＰ）の各々の割り当てられたＴＲＰタイプに従ってバックホール通信モードのサイクルを前記ＴＲＰに割り当てるステップと、
前記ネットワークエンティティにより、前記ＴＲＰの各々の前記割り当てられたＴＲＰタイプに従ってバックホールフレーム構成を前記ＴＲＰに割り当てるステップと、
を含む方法。
【請求項９】
前記ネットワークエンティティにより、前記ＴＲＰの各々の隣接リストと前記ＴＲＰの各々の能力とに従ってＴＲＰタイプを前記ＴＲＰの各々に割り当てるステップ、をさらに含む請求項８に記載の方法。
【請求項１０】
送受信ポイント（ＴＲＰ）であって、
プロセッサと、
前記プロセッサにより実行されるプログラミングを記憶するコンピュータ読取可能記憶媒体と、を含み、
前記プログラミングは、
当該ＴＲＰのためのバックホール通信モードの第１のサイクルを決定し、前記第１のサイクルの各バックホール通信モードは、異なる期間に関連づけられ、関連づけられた期間中に当該ＴＲＰに利用可能な通信ビームのサブセットを使用して送信又は受信のいずれかを行うように当該ＴＲＰを促し、各々の関連づけられた期間に当該ＴＲＰと当該ＴＲＰの隣接ＴＲＰとにより使用される前記通信ビームは、相互干渉を防止するように選択され、前記第１のサイクルの少なくとも１つのバックホール通信モードは、当該ＴＲＰに利用可能な前記通信ビームのすべてを使用して送信又は受信のいずれかを行うように当該ＴＲＰを促し、
前記第１のサイクルに従って当該ＴＲＰのためのバックホールフレーム構成を決定し、前記バックホールフレーム構成は、バックホール通信に使用されるフレームのサブフレームの配置を規定し、
前記第１のサイクル及び前記バックホールフレーム構成に従って当該ＴＲＰの隣接ＴＲＰと通信する
ように当該ＴＲＰを構成する命令を含む、ＴＲＰ。
【請求項１１】
前記第１のサイクルは、当該ＴＲＰに利用可能なすべての通信ビームを使用して前記隣接ＴＲＰのすべてに送信するように当該ＴＲＰを規定する第１のバックホールモードと、当該ＴＲＰに利用可能なすべての通信ビームの第１のサブセットを使用して前記隣接ＴＲＰの第１のサブセットから受信するように当該ＴＲＰを規定する第２のバックホールモードと、当該ＴＲＰに利用可能なすべての通信ビームの第２のサブセットを使用して前記隣接ＴＲＰの第２のサブセットから受信するように当該ＴＲＰを規定する第３のバックホールモードとを含み、前記隣接ＴＲＰの前記第１のサブセット及び前記第２のサブセットの組み合わせは、前記隣接ＴＲＰのすべてを含む、請求項１０に記載のＴＲＰ。
【請求項１２】
前記第１のサイクルは、当該ＴＲＰに利用可能なすべての通信ビームを使用して前記隣接ＴＲＰのすべてから受信するように当該ＴＲＰを規定する第４のバックホールモードと、当該ＴＲＰに利用可能なすべての通信ビームの第３のサブセットを使用して前記隣接ＴＲＰの第３のサブセットに送信するように当該ＴＲＰを規定する第５のバックホールモードと、当該ＴＲＰに利用可能なすべての通信ビームの第４のサブセットを使用して前記隣接ＴＲＰの第４のサブセットに送信するように当該ＴＲＰを規定する第６のバックホールモードとを含み、前記隣接ＴＲＰの前記第３のサブセット及び前記第４のサブセットの組み合わせは、前記隣接ＴＲＰのすべてを含む、請求項１０に記載のＴＲＰ。
【請求項１３】
サイクルは、異なる数のバックホール通信モードを有し、当該ＴＲＰに割り当てられた前記第１のサイクルは、バックホールモードの第２のセットより少ないバックホールモードを有し、プログラミングは、前記第１のサイクルを完了した後、少なくとも１つの期間にアイドルのままであるように当該ＴＲＰを構成する命令を含む、請求項１０に記載のＴＲＰ。
【請求項１４】
ネットワークエンティティであって、
プロセッサと、
前記プロセッサにより実行されるプログラミングを記憶するコンピュータ読取可能記憶媒体と、を含み、
前記プログラミングは、
送受信ポイント（ＴＲＰ）の各々の割り当てられたＴＲＰタイプに従ってバックホール通信モードのサイクルを前記ＴＲＰに割り当て、
前記ＴＲＰの各々の前記割り当てられたＴＲＰタイプに従ってバックホールフレーム構成を前記ＴＲＰに割り当てる
ように当該ネットワークエンティティを構成する命令を含む、ネットワークエンティティ。
【請求項１５】
前記プログラミングは、前記ＴＲＰの各々の隣接リストと前記ＴＲＰの各々の能力とに従ってＴＲＰタイプを前記ＴＲＰの各々に割り当てるように当該ネットワークエンティティを構成する命令を含む、請求項１４に記載のネットワークエンティティ。
【国際調査報告】
2019523580.tif 000049
2019523580.tif 000050